(57)【要約】対象者（３０）に使用の装置（２０）であって、１組のコンピュータ命令を格納するメモリを含み、該メモリが、その中に、多重フェーズ・バイオリズム活動パターンの初期形式と多重フェーズ・バイオリズム活動パターンの所望の形式の指示とを格納するよう適合されており、所望の形式における２つのフェーズの持続時間の比が初期形式におけるそれぞれのフェーズの持続時間の比と異なり、多重フェーズ・バイオリズム活動パターンの少なくとも１つのフェーズが、対象者（３０）の多重フェーズ・バイオリズム活動のそれぞれのフェーズに対応する、上記装置が提供される。該装置（２０）は更に、格納された命令を実行し且つそれに応答して、（ａ）時間的に変化する刺激の発生中に多重フェーズ・バイオリズム活動の進行中の測定に実質的に応答することをしないで且つ（ｂ）初期形式とバイオリズム活動を変更するよう対象者を案内する所望の形式との中間の一連の移行形式により特徴付けられる多重フェーズ・パターンを有する上記時間的に変化する刺激を発生するよう適合されている刺激ユニット（３８）を含む。
2005535378.tif 000002
【特許請求の範囲】
【請求項１】
１組のコンピュータ命令を格納するメモリを備え、
前記メモリが、その中に、多重フェーズ・バイオリズム活動パターンの初期形式と、当該多重フェーズ・バイオリズム活動パターンの所望の形式の指示とを格納するよう適合され、
前記所望の形式における２つのフェーズの持続時間の比が、前記初期形式におけるそれぞれのフェーズの持続時間の比と異なり、
前記多重フェーズ・バイオリズム活動パターンの少なくとも１つのフェーズが、対象者の多重フェーズ・バイオリズム活動のそれぞれのフェーズに対応し、
刺激ユニットを更に備え、
前記刺激ユニットは、前記の格納された命令を実行し、且つ当該命令に応答して時間的に変化する刺激を発生するよう適合され、
前記時間的に変化する刺激は、（ａ）当該時間的に変化する刺激の発生中に多重フェーズバイオリズム活動の進行中の測定に実質的に応答することをしないで、且つ（ｂ）前記初期形式と前記所望の形式との中間の一連の移行形式であってバイオリズム活動を変更するよう前記対象者を案内する前記一連の移行形式により特徴付けられる多重フェーズ・パターンを有する
対象者に使用の装置。
【請求項２】
前記刺激ユニットが、前記多重フェーズ・パターンを有する時間的に変化する刺激を発生するよう適合され、
前記一連の移行形式の中の移行形式の持続時間が、時間に対して線形に変化する
請求項１記載の装置。
【請求項３】
前記刺激ユニットが、前記多重フェーズ・パターンを有する時間的に変化する刺激を発生するよう適合され、
前記一連の移行形式の中の移行形式の持続時間が、時間に対して幾何学的に変化する
請求項１記載の装置。
【請求項４】
前記初期形式が、第１の一定数のフェーズを有し、
前記所望の形式が、第２の一定数のフェーズを有し、
第１の一定数が第２の一定数に等しくなく、
前記メモリが、その中に、前記初期形式と、異なる一定数のフェーズを有する前記所望の形式の指示とを格納するよう適合されている
請求項１記載の装置。
【請求項５】
前記初期形式が、前記所望の形式より大きい数のフェーズを有し、
前記メモリが、ゼロに等しい前記所望の形式の持続時間を当該所望の形式において設定することにより、前記初期形式内にあるが前記所望の形式内にないフェーズを表すよう適合されている
請求項１記載の装置。
【請求項６】
前記所望の形式が、前記初期形式より大きい数のフェーズを有し、
前記メモリが、ゼロに等しい前記初期形式の持続時間を当該初期形式において設定することにより、前記所望の形式内にあるが前記初期形式内にないフェーズを表すよう適合されている
請求項１記載の装置。
【請求項７】
前記初期形式及び前記所望の形式が、同数のフェーズを有し、
前記メモリが、その中に、前記初期形式と、同数のフェーズを有する前記所望の形式の指示とを格納するよう適合されている
請求項１記載の装置。
【請求項８】
前記メモリが、その中に、前記対象者に前記装置を使用する前に、前記初期形式と前記所望の形式の指示とを格納するよう適合されている請求項１記載の装置。
【請求項９】
前記時間的に変化する刺激が、イメージ、英数字テキスト、音声、音声パターン、動的グラフィカル・パターン、及び視覚的キューからなるリストから選択された少なくとも１つの刺激を備え、
前記刺激ユニットが、前記の選択された時間的に変化する刺激を発生するよう適合された視覚的刺激器を備える
請求項１記載の装置。
【請求項１０】
前記時間的に変化する刺激が、圧力を備え、
前記刺激ユニットが、圧力を対象者の身体の一部に印加するよう適合された圧力アプリケータを備える
請求項１記載の装置。
【請求項１１】
前記時間的に変化する刺激が、マッサージを備え、
前記刺激ユニットが、マッサージを対象者の身体の一部に与えるよう適合されたマッサージ・デバイスを備える
請求項１記載の装置。
【請求項１２】
前記時間的に変化する刺激が、機械的エネルギを有し、
前記刺激ユニットが、機械的エネルギを対象者の身体の一部に与えるよう適合された機械的エネルギ刺激器を備える
請求項１記載の装置。
【請求項１３】
前記時間的に変化する刺激が、電流を有し、
前記刺激ユニットが、電流を対象者の身体の一部に印加するよう適合された電気的刺激器を備える
請求項１記載の装置。
【請求項１４】
前記時間的に変化する刺激が、ゲームの形式であり、
前記刺激ユニットが、多重フェーズ・バイオリズム活動を変更するよう前記対象者を案内するようにゲームのパラメータを変えるよう適合されたゲーム発生器を備える
請求項１記載の装置。
【請求項１５】
前記刺激ユニットが、前記時間的に変化する刺激を電話回線網を介して前記対象者に送信するよう適合されている請求項１記載の装置。
【請求項１６】
前記刺激ユニットが、前記時間的に変化する刺激をワイド・エリア・ネットワークを介して前記対象者に送信するよう適合されている請求項１記載の装置。
【請求項１７】
前記刺激ユニットと共に動作し、且つ前記対象者の筋肉に、当該筋肉を刺激するよう設定された電流を印加するよう適合された筋肉刺激器を備える請求項１記載の装置。
【請求項１８】
前記刺激ユニットが、前記時間的に変化する刺激を前記対象者の組織酸素化を増大するよう設定するよう適合されている請求項１記載の装置。
【請求項１９】
前記刺激ユニットが、前記時間的に変化する刺激を前記対象者の血管の機械的コンプライアンスを増大するよう設定するよう適合されている請求項１記載の装置。
【請求項２０】
前記刺激ユニットが、前記時間的に変化する刺激を前記対象者の小血管の周辺インピーダンスを低減するよう設定するよう適合されている請求項１記載の装置。
【請求項２１】
前記刺激ユニットが、前記時間的に変化する刺激を前記対象者の心拍数可変性を増大するよう設定するよう適合されている請求項１記載の装置。
【請求項２２】
前記刺激ユニットが、前記時間的に変化する刺激を前記対象者の圧反射感度を増大するよう設定するよう適合されている請求項１記載の装置。
【請求項２３】
前記刺激ユニットと共に動作し、且つ前記対象者の身体の四肢の運動を実行するよう当該対象者を案内する運動刺激を発生するよう適合された運動刺激器を備える請求項１記載の装置。
【請求項２４】
前記刺激ユニットが、前記時間的に変化する刺激を前記対象者が睡眠中であるとき発生するよう適合されている請求項１記載の装置。
【請求項２５】
前記刺激ユニットが、前記時間的に変化する刺激を前記対象者が機械的に換気されるとき発生するよう適合されている請求項１記載の装置。
【請求項２６】
前記時間的に変化する刺激が音楽を有する請求項１から２５のいずれか一項に記載の装置。
【請求項２７】
前記刺激ユニットが、音楽を発生するよう適合された音楽シンセサイザを備える請求項２６記載の装置。
【請求項２８】
前記刺激ユニットが、時間的に変化する刺激の発生中に前記対象者の生理的変数の進行中の測定に実質的に応答しない当該時間的に変化する刺激を発生するよう適合されている請求項１から２５のいずれか一項に記載の装置。
【請求項２９】
前記刺激ユニットが、前記装置を対象者に使用中に前記対象者の生理的変数の測定に応答しない時間的に変化する刺激を発生するよう適合されている請求項２８記載の装置。
【請求項３０】
生理的事象を検知し、且つ当該生理的事象に応答して事象信号を発生するよう適合されたセンサを備え、
前記装置が、前記時間的に変化する刺激を前記刺激ユニットにより発生する前に前記事象信号を受け取るよう適合されており、
前記刺激ユニットが、前記事象信号に応答して前記時間的に変化する刺激を発生するのを開始するよう適合されている
請求項１から２５のいずれか一項に記載の装置。
【請求項３１】
前記装置が、前記事象信号のパラメータに少なくとも一部応答して初期形式を設定するよう適合されている請求項３０記載の装置。
【請求項３２】
前記生理的事象が、睡眠無呼吸の発症を含み、
前記センサが、前記睡眠無呼吸の発症を検知するよう適合されている
請求項３０記載の装置。
【請求項３３】
前記メモリが、その中に、それぞれの初期形式と所望の形式のそれぞれの指示とを有する複数の練習ルーチンを格納するよう適合されており、
前記刺激ユニットが、前記対象者が前記練習ルーチンの１つを選択するのを可能にするよう適合されたユーザ・インターフェースを備え、
前記刺激ユニットが、前記選択に応答して前記時間的に変化する刺激を発生するよう適合されている
請求項１から２５のいずれか一項に記載の装置。
【請求項３４】
前記ユーザ・インターフェースが電話機を備える請求項３３記載の装置。
【請求項３５】
前記インターフェースがオーディオ再生装置のユーザ・インターフェースを備える請求項３３記載の装置。
【請求項３６】
前記ユーザ・インターフェースが汎用コンピュータのユーザ・インターフェースを備える請求項３３記載の装置。
【請求項３７】
前記刺激ユニットが、前記時間的に変化する刺激を前記対象者が意識不明であるとき発生するよう適合されている請求項１から２５のいずれか一項に記載の装置。
【請求項３８】
前記刺激ユニットが、前記時間的に変化する刺激を前記対象者が昏睡状態にあるとき発生するよう適合されている請求項３７記載の装置。
【請求項３９】
前記刺激ユニットが、前記時間的に変化する刺激を前記対象者が麻酔状態にされているとき発生するよう適合されている請求項３７記載の装置。
【請求項４０】
前記多重フェーズ・バイオリズム活動が、対象者の呼吸作用を含み、
前記刺激ユニットが、呼吸作用を変更するよう前記対象者を案内するため前記時間的に変化する刺激を設定するよう適合されている
請求項１から２５のいずれか一項に記載の装置。
【請求項４１】
前記対象者の多重フェーズ・バイオリズム活動が、呼吸速度により特徴付けられており、
前記メモリが、その中に、初期形式と所望の形式の指示とを格納するよう適合されており、
所望の形式での呼吸速度が、初期形式での呼吸速度と異なる
請求項４０記載の装置。
【請求項４２】
前記所望の形式における２又はそれより多いフェーズが、前記時間的に変化する刺激を発生する前に多重フェーズ・バイオリズム活動に一般的に含まれない少なくとも１つの呼吸フェーズを含み、
前記メモリが、その中に、前記少なくとも１つの呼吸フェーズの指示を格納するよう適合されている
請求項４０記載の装置。
【請求項４３】
前記所望の形式における２又はそれより多いフェーズが、息こらえ及び呼気後休止から成るリストから選択された少なくとも１つの呼吸フェーズを含み、
前記メモリが、その中に、前記の選択された呼吸フェーズの指示を格納するよう適合されている
請求項４０記載の装置。
【請求項４４】
前記対象者に適用され、且つ吸気及び呼気から選択された呼吸フェーズ中に前記対象者の空気の流れに抵抗するよう適合された抵抗性負荷を備える請求項４０記載の装置。
【請求項４５】
前記対象者に適用され、且つ前記刺激ユニットと共に動作するよう適合された機械的換気装置を備える請求項４０記載の装置。
【請求項４６】
前記初期形式及び所望の形式における２又はそれより多いフェーズが、吸気及び呼気を含み、
前記メモリが、その中に、前記初期形式及び指示を格納するよう適合されており、
前記所望の形式における吸気の持続時間の呼気の持続時間に対する比（Ｉ：Ｅ比）が、前記初期形式におけるＩ：Ｅ比より小さい
請求項４０記載の装置。
【請求項４７】
前記メモリが、その中に、前記初期形式及び指示を格納するよう適合されており、
前記所望の形式におけるＩ：Ｅ比が、約１：０．５と１：４との間である
請求項４６記載の装置。
【請求項４８】
入力を前記対象者から受け取るよう適合されたユーザ・インターフェースを備え、
前記装置が、前記入力に応答して、前記初期形式と前記所望の形式の指示とを前記メモリに格納するよう適合されている
請求項１から２５のいずれか一項に記載の装置。
【請求項４９】
前記ユーザ・インターフェースが、前記所望の形式の指示において２又はそれより多いフェーズの持続時間の指示を受け取るよう適合されている請求項４８記載の装置。
【請求項５０】
前記ユーザ・インターフェースが、前記初期形式における２又はそれより多いフェーズのそれぞれの持続時間にわたり動向の指示を受け取るよう適合されている請求項４８記載の装置。
【請求項５１】
前記ユーザ・インターフェースが、前記初期形式における２又はそれより多いフェーズの持続時間の指示を受け取るよう適合されている請求項４８記載の装置。
【請求項５２】
前記ユーザ・インターフェースが、前記所望の形式における２又はそれより多いフェーズの持続時間の指示を受け取るよう適合されている請求項４８記載の装置。
【請求項５３】
前記ユーザ・インターフェースが、前記初期形式の指示において複数のフェーズのうちの少なくとも１つのフェーズの開始指示と終了指示との間の経過時間を測定するよう適合されている請求項４８記載の装置。
【請求項５４】
前記開始指示及び終了指示が、前記対象者の呼吸作用のそれぞれの可聴指示を含み、
前記ユーザ・インターフェースが、前記の可聴の開始指示及び終了指示を検知するよう適合されている請求項５３記載の装置。
【請求項５５】
前記ユーザ・インターフェースが、前記開始指示及び終了指示を前記対象者からそれぞれの時間に受け取り、且つ当該開始指示及び終了指示に応答して経過時間を測定するよう適合されている請求項５３記載の装置。
【請求項５６】
対象者に使用する方法であって、
多重フェーズ・バイオリズム活動パターンの初期形式と、当該多重フェーズ・バイオリズム活動パターンの所望の形式の指示とを格納するステップであって、
前記所望の形式における２つのフェーズの持続時間の比が、前記初期形式におけるそれぞれのフェーズの持続時間の比と異なり、
前記多重フェーズ・バイオリズム活動パターンの少なくとも１つのフェーズが、対象者の多重フェーズ・バイオリズム活動のそれぞれのフェーズに対応する、前記格納するステップと、
（ａ）時間的に変化する刺激の発生中に多重フェーズ・バイオリズム活動の進行中の測定に実質的に応答することをしないで、且つ（ｂ）前記初期形式と、前記多重フェーズ・バイオリズム活動を変更するよう前記対象者を案内する前記所望の形式との中間の一連の移行形式により特徴付けられる多重フェーズ・パターンを有する前記時間的に変化する刺激を発生するステップと
を備える方法。
【請求項５７】
時間的に変化する刺激を発生する前記ステップが、前記多重フェーズ・パターンを有する時間的に変化する刺激を発生するステップを備え、
前記一連の移行形式の中の移行形式の持続時間が、時間に対して線形に変化する
請求項５６記載の方法。
【請求項５８】
時間的に変化する刺激を発生する前記ステップが、前記多重フェーズ・パターンを有する時間的に変化する刺激を発生するステップを備え、
前記一連の移行形式の中の移行形式の持続時間が、時間に対して幾何学的に変化する
請求項５６記載の方法。
【請求項５９】
前記初期形式が、第１の或る一定数のフェーズを有し、
前記所望の形式が、第２の或る一定数のフェーズを有し、
前記第１の或る一定数が、前記第２の或る一定数と等しくなく、
初期形式と所望の形式の指示とを格納する前記ステップが、前記初期形式と、異なる或る一定数のフェーズを有する前記所望の形式とを格納するステップを備える
請求項５６記載の方法。
【請求項６０】
前記初期形式が、前記所望の形式の或る一定数のフェーズより大きい或る一定数のフェーズを有し、
所望の形式の指示を格納する前記ステップが、ゼロに等しい前記フェーズの持続時間を前記所望の形式において設定することにより、前記初期形式内にあるが前記所望の形式内にはないフェーズを表すステップを備える
請求項５６記載の方法。
【請求項６１】
前記所望の形式が、前記初期形式の或る一定数のフェーズより大きい或る一定数のフェーズを有し、
初期形式を格納する前記ステップが、ゼロに等しい前記フェーズの持続時間を前記初期形式において設定することにより、前記所望の形式内にあるが前記初期形式内にはないフェーズを表すステップを備える
請求項５６記載の方法。
【請求項６２】
前記初期形式及び前記所望の形式が、同数のフェーズを有し、
初期形式と所望の形式の指示とを格納する前記ステップが、前記初期形式と、同数のフェーズを有する前記所望の形式の指示とを格納するステップを備える
請求項５６記載の方法。
【請求項６３】
初期形式と所望の形式の指示とを格納する前記ステップが、前記方法を前記対象者に使用する前に、前記初期形式と前記所望の形式の指示とを格納するステップを備える請求項５６記載の方法。
【請求項６４】
前記時間的に変化する刺激が、音楽を含み、
時間的に変化する刺激を発生する前記ステップが、音楽を発生するステップを備える
請求項５６記載の方法。
【請求項６５】
前記時間的に変化する刺激が、イメージ、英数字テキスト、音声、音声パターン、動的グラフィカル・パターン、及び視覚的キューからなるリストから選択された少なくとも１つの刺激を含み、
時間的に変化する刺激を発生する前記ステップが、前記の選択された刺激を発生するステップを備える
請求項５６記載の方法。
【請求項６６】
前記時間的に変化する刺激が、圧力を含み、
時間的に変化する刺激を発生する前記ステップが、圧力を対象者の身体の一部に印加するステップを備える
請求項５６記載の方法。
【請求項６７】
時間的に変化する刺激を発生する前記ステップが、マッサージ装置を用いて、対象者の身体の一部をマッサージするステップを備える請求項５６記載の方法。
【請求項６８】
時間的に変化する刺激を発生する前記ステップが、機械的エネルギを対象者の身体の一部に与えるステップを備える請求項５６記載の方法。
【請求項６９】
時間的に変化する刺激を発生する前記ステップが、電流を対象者の身体の一部に印加するステップを備える請求項５６記載の方法。
【請求項７０】
時間的に変化する刺激を発生する前記ステップが、
前記時間的に変化する刺激をゲームの形式で発生するステップと、
多重フェーズ・バイオリズム活動を変更するよう前記対象者を案内するように前記ゲームのパラメータを変えるステップと
を備える請求項５６記載の方法。
【請求項７１】
時間的に変化する刺激を発生する前記ステップが、前記時間的に変化する刺激を電話回線網を介して前記対象者に送信するステップを備える請求項５６記載の方法。
【請求項７２】
時間的に変化する刺激を発生する前記ステップが、前記時間的に変化する刺激をワイド・エリア・ネットワークを介して前記対象者に送信するステップを備える請求項５６記載の方法。
【請求項７３】
前記時間的に変化する刺激を発生するステップと一緒に、前記対象者の筋肉に、当該筋肉を刺激するよう設定された電流を印加するステップを備える請求項５６記載の方法。
【請求項７４】
時間的に変化する刺激を発生する前記ステップが、前記時間的に変化する刺激を前記対象者の組織酸素化を増大するよう設定するステップを備える請求項５６記載の方法。
【請求項７５】
時間的に変化する刺激を発生する前記ステップが、前記時間的に変化する刺激を前記対象者の血管の機械的コンプライアンスを増大するよう設定するステップを備える請求項５６記載の方法。
【請求項７６】
時間的に変化する刺激を発生する前記ステップが、前記時間的に変化する刺激を前記対象者の小血管の周辺インピーダンスを低減するよう設定するステップを備える請求項５６記載の方法。
【請求項７７】
時間的に変化する刺激を発生する前記ステップが、前記時間的に変化する刺激を前記対象者の心拍数可変性を増大するよう設定するステップを備える請求項５６記載の方法。
【請求項７８】
時間的に変化する刺激を発生する前記ステップが、前記時間的に変化する刺激を前記対象者の圧反射感度を増大するよう設定するステップを備える請求項５６記載の方法。
【請求項７９】
時間的に変化する刺激を発生する前記ステップと一緒に、前記対象者の身体の四肢の運動を実行するよう当該対象者を案内する運動刺激を発生するステップを備える請求項５６記載の方法。
【請求項８０】
時間的に変化する刺激を発生する前記ステップが、前記時間的に変化する刺激を前記対象者が睡眠中であるとき発生するステップを備える請求項５６記載の方法。
【請求項８１】
時間的に変化する刺激を発生する前記ステップが、前記時間的に変化する刺激を前記対象者が機械的に換気されるとき発生するステップを備える請求項５６記載の方法。
【請求項８２】
時間的に変化する刺激を発生する前記ステップが、時間的に変化する刺激の発生中に前記対象者の生理的変数の進行中の測定に実質的に応答しない当該時間的に変化する刺激を発生するステップを備える請求項５６から８１のいずれか一項に記載の方法。
【請求項８３】
時間的に変化する刺激を発生する前記ステップが、前記方法を前記対象者に使用する間に前記対象者の生理的変数の測定に応答しない時間的に変化する刺激を発生するステップを備える請求項８２記載の方法。
【請求項８４】
時間的に変化する刺激を発生する前に生理的事象を検知するステップを備え、
時間的に変化する刺激を発生する前記ステップが、前記生理的事象を検知することに応答して前記時間的に変化する刺激を発生することを開始するステップを備える
請求項５６から８１のいずれか一項に記載の方法。
【請求項８５】
初期形式を格納する前記ステップが、前記生理的事象のパラメータに少なくとも一部応答して前記初期形式を設定するステップを備える請求項８４記載の方法。
【請求項８６】
前記生理的事象が、睡眠無呼吸の発症を含み、
検知する前記ステップが、前記睡眠無呼吸の発症を検知するステップを備える
請求項８４記載の方法。
【請求項８７】
格納する前記ステップが、それぞれの初期形式と所望の形式のそれぞれの指示とを有する複数の練習ルーチンを格納するステップを備え、
時間的に変化する刺激を発生する前記ステップが、前記練習ルーチンのうちの１つを選択するステップを備える
請求項５６から８１のいずれか一項に記載の方法。
【請求項８８】
練習ルーチンのうちの１つを選択する前記ステップが、電話機を用いて前記練習ルーチンのうちの１つを選択するステップを備える請求項８７記載の方法。
【請求項８９】
練習ルーチンのうちの１つを選択する前記ステップが、オーディオ再生装置のユーザ・インターフェースを用いて前記練習ルーチンのうちの１つを選択するステップを備える請求項８７記載の方法。
【請求項９０】
練習ルーチンのうちの１つを選択する前記ステップが、汎用コンピュータのユーザ・インターフェースを用いて前記練習ルーチンのうちの１つを選択するステップを備える請求項８７記載の方法。
【請求項９１】
時間的に変化する刺激を発生する前記ステップが、前記時間的に変化する刺激を前記対象者が意識不明であるとき発生するステップを備える請求項５６から８１のいずれか一項に記載の方法。
【請求項９２】
時間的に変化する刺激を発生する前記ステップが、前記時間的に変化する刺激を前記対象者が昏睡状態にあるとき発生するステップを備える請求項９１記載の方法。
【請求項９３】
時間的に変化する刺激を発生する前記ステップが、前記時間的に変化する刺激を前記対象者が麻酔状態にされているとき発生するステップを備える請求項９１記載の方法。
【請求項９４】
前記多重フェーズ・バイオリズム活動が、対象者の呼吸作用を含み、
時間的に変化する刺激を発生する前記ステップが、呼吸作用を変更するよう前記対象者を案内するため前記時間的に変化する刺激を設定するステップを備える請求項５６から８１のいずれか一項に記載の方法。
【請求項９５】
前記対象者の多重フェーズ・バイオリズム活動が、呼吸速度により特徴付けられており、
格納する前記ステップが、初期形式と所望の形式の指示とを格納するステップを備え、
所望の形式での呼吸速度が、初期形式での呼吸速度と異なる
請求項９４記載の方法。
【請求項９６】
前記所望の形式における２又はそれより多いフェーズが、前記時間的に変化する刺激を発生する前に多重フェーズ・バイオリズム活動に一般的に含まれない少なくとも１つの呼吸フェーズを含み、
格納する前記ステップが、前記少なくとも１つの呼吸フェーズの指示を格納するステップを備える
請求項９４記載の方法。
【請求項９７】
前記所望の形式における２又はそれより多いフェーズが、息こらえ及び呼気後休止から成るリストから選択された少なくとも１つの呼吸フェーズを含み、
格納する前記ステップが、前記の選択された呼吸フェーズの指示を格納するステップを備える
請求項９４記載の方法。
【請求項９８】
吸気及び呼気から選択された呼吸フェーズ中に前記対象者の空気の流れに抵抗する抵抗性負荷を前記対象者に適用するステップを備える請求項９４記載の方法。
【請求項９９】
時間的に変化する刺激を発生するステップと一緒に、前記対象者に対して機械的に換気するステップを備える請求項９４記載の方法。
【請求項１００】
前記初期形式及び所望の形式における２又はそれより多いフェーズが、吸気及び呼気を含み、
格納する前記ステップが、前記初期形式及び指示を格納するステップを備え、
前記所望の形式における吸気の持続時間の呼気の持続時間に対する比（Ｉ：Ｅ比）が、前記初期形式におけるＩ：Ｅ比より小さい
請求項９４記載の方法。
【請求項１０１】
格納する前記ステップが、前記初期形式及び指示を格納するステップを備え、
前記所望の形式におけるＩ：Ｅ比が、約１：０．５と１：４との間である
請求項１００記載の方法。
【請求項１０２】
初期形式と所望の形式の指示とを格納する前記ステップが、入力を前記対象者から受け取るステップを備える請求項５６から８１のいずれか一項に記載の方法。
【請求項１０３】
入力を受け取る前記ステップが、前記所望の形式の指示において２又はそれより多いフェーズの持続時間の指示を受け取るステップを備える請求項１０２記載の方法。
【請求項１０４】
入力を受け取る前記ステップが、前記初期形式における２又はそれより多いフェーズのそれぞれの持続時間にわたり動向の指示を受け取るステップを備える請求項１０２記載の方法。
【請求項１０５】
入力を受け取る前記ステップが、前記初期形式における２又はそれより多いフェーズの持続時間の指示を受け取るステップを備える請求項１０２記載の方法。
【請求項１０６】
入力を受け取る前記ステップが、前記所望の形式における２又はそれより多いフェーズの持続時間の指示を受け取るステップを備える請求項１０２記載の方法。
【請求項１０７】
入力を受け取る前記ステップが、前記初期形式の指示において複数のフェーズのうちの少なくとも１つのフェーズの開始指示と終了指示との間の経過時間を測定するステップを備える請求項１０２記載の方法。
【請求項１０８】
前記開始指示及び終了指示が、前記対象者の呼吸作用のそれぞれの可聴指示を含み、
経過時間を測定する前記ステップが、前記の可聴の開始指示及び終了指示を検知するステップを備える
請求項１０７記載の方法。
【請求項１０９】
前記開始及び終了指示を前記対象者からそれぞれの時間に受け取るステップを備え、
経過時間を測定する前記ステップが、前記開始及び終了指示に応答して経過時間を測定するステップを備える
請求項１０７記載の方法。
【請求項１１０】
プログラム命令が格納されているコンピュータ可読媒体を備えるコンピュータ・ソフトウエア製品であって、
命令がコンピュータにより読み取られたとき、当該命令が、前記コンピュータに、
（ａ）時間的に変化する刺激の発生中に対象者の多重フェーズバイオリズム活動の進行中の測定に実質的に応答することをしないで、且つ（ｂ）多重フェーズ・バイオリズム活動パターンの初期形式とバイオリズム活動を変更するよう前記対象者を案内する前記所望の形式との中間の一連の移行形式により特徴付けられる多重フェーズ・バイオリズム活動パターンの所望の形式との中間の一連の移行形式により特徴付けられる多重フェーズ・パターンを有する時間的に変化する刺激を発生させ、
前記時間的に変化する刺激の多重フェーズ・バイオリズム活動パターンの少なくとも１つのフェーズが、前記多重フェーズ・バイオリズム活動のそれぞれのフェーズに対応し、
前記所望の形式における２つのフェーズの持続時間の比が、前記初期形式におけるそれぞれのフェーズの持続時間の比と異なる
コンピュータ・ソフトウエア製品。
【請求項１１１】
前記命令が、前記コンピュータに、前記多重フェーズ・パターンを有する時間的に変化する刺激を発生させ、
前記一連の移行形式の中の移行形式の持続時間が、時間に対して線形に変化する
請求項１１０記載のコンピュータ・ソフトウエア製品
【請求項１１２】
前記命令が、前記コンピュータに、前記多重フェーズ・パターンを有する時間的に変化する刺激を発生させ、
前記一連の移行形式の中の移行形式の持続時間が、時間に対して幾何学的に変化する
請求項１１０記載のコンピュータ・ソフトウエア製品。
【請求項１１３】
前記初期形式が、第１の或る一定数のフェーズを有し、
前記所望の形式が、第２の或る一定数のフェーズを有し、
前記第１の或る一定数が前記第２の或る一定数と等しくない
請求項１１０記載のコンピュータ・ソフトウエア製品。
【請求項１１４】
前記初期形式が、前記所望の形式の或る一定数のフェーズより大きい或る一定数のフェーズを有し、
前記命令が、前記コンピュータに、ゼロに等しい前記フェーズの持続時間を前記所望の形式において設定することにより、前記初期形式内にあるが前記所望の形式内にないフェーズを表させる
請求項１１０記載のコンピュータ・ソフトウエア製品。
【請求項１１５】
前記所望の形式が、前記初期形式の或る一定数のフェーズより大きい或る一定数のフェーズを有し、
前記命令が、前記コンピュータに、ゼロに等しい前記フェーズの持続時間を前記初期形式において設定することにより、前記所望の形式内にあるが前記初期形式内にないフェーズを表させる
請求項１１０記載のコンピュータ・ソフトウエア製品。
【請求項１１６】
前記初期形式及び前記所望の形式が、同数のフェーズを有する請求項１１０記載のコンピュータ・ソフトウエア製品。
【請求項１１７】
前記コンピュータ可読媒体が、その中に、前記対象者に前記コンピュータ・ソフトウエア製品を使用する前に、前記初期形式と前記所望の形式の指示とを格納するよう適合されている請求項１１０記載のコンピュータ・ソフトウエア製品。
【請求項１１８】
前記時間的に変化する刺激が、音楽を含み、
前記命令が、前記コンピュータに音楽を発生させる
請求項１１０記載のコンピュータ・ソフトウエア製品。
【請求項１１９】
前記時間的に変化する刺激が、イメージ、英数字テキスト、音声、音声パターン、動的グラフィカル・パターン、及び視覚的キューからなるリストから選択された少なくとも１つの刺激を含み、
前記命令が、前記コンピュータに前記の選択された時間的に変化する刺激を発生させる
請求項１１０記載のコンピュータ・ソフトウエア製品。
【請求項１２０】
前記時間的に変化する刺激が、圧力を含み、
前記命令が、前記コンピュータに圧力アプリケータを駆動させて圧力を対象者の身体の一部に印加する
請求項１１０記載のコンピュータ・ソフトウエア製品。
【請求項１２１】
前記時間的に変化する刺激が、マッサージを有し、
前記命令が、前記コンピュータにマッサージ装置を駆動させて対象者の身体の一部をマッサージする
請求項１１０記載のコンピュータ・ソフトウエア製品。
【請求項１２２】
前記時間的に変化する刺激が、機械的エネルギを有し、
前記命令が、前記コンピュータに機械的刺激器を駆動させて機械的エネルギを対象者の身体の一部に与える
請求項１１０記載のコンピュータ・ソフトウエア製品。
【請求項１２３】
前記時間的に変化する刺激が、電流を有し、
前記命令が、前記コンピュータに電気的刺激器を駆動させて電流を対象者の身体の一部に印加する
請求項１１０記載のコンピュータ・ソフトウエア製品。
【請求項１２４】
前記時間的に変化する刺激が、ゲームの形式であり、
前記命令が、前記コンピュータに、
ゲームを発生させ、且つ
多重フェーズ・バイオリズム活動を変更するよう前記対象者を案内するように前記ゲームのパラメータを変えさせる
請求項１１０記載のコンピュータ・ソフトウエア製品。
【請求項１２５】
前記命令が、前記コンピュータに前記時間的に変化する刺激を電話回線網を介して前記対象者に送信させる請求項１１０記載のコンピュータ・ソフトウエア製品。
【請求項１２６】
前記命令が、前記コンピュータに前記時間的に変化する刺激をワイド・エリア・ネットワークを介して前記対象者に送信させる請求項１１０記載のコンピュータ・ソフトウエア製品。
【請求項１２７】
前記命令が、前記コンピュータに、前記時間的に変化する刺激を発生することと一緒に、筋肉刺激器を駆動させて、前記対象者の筋肉に当該筋肉を刺激するよう設定された電流を印加する請求項１１０記載のコンピュータ・ソフトウエア製品。
【請求項１２８】
前記命令が、前記コンピュータに前記時間的に変化する刺激を前記対象者の組織酸素化を増大するよう設定させる請求項１１０記載のコンピュータ・ソフトウエア製品。
【請求項１２９】
前記命令が、前記コンピュータに、前記時間的に変化する刺激を前記対象者の血管の機械的コンプライアンスを増大するよう設定させる請求項１１０記載のコンピュータ・ソフトウエア製品。
【請求項１３０】
前記命令が、前記コンピュータに前記時間的に変化する刺激を前記対象者の小血管の周辺インピーダンスを低減するよう設定させる請求項１１０記載のコンピュータ・ソフトウエア製品。
【請求項１３１】
前記命令が、前記コンピュータに前記時間的に変化する刺激を前記対象者の心拍数可変性を増大するよう設定させる請求項１１０記載のコンピュータ・ソフトウエア製品。
【請求項１３２】
前記命令が、前記コンピュータに前記時間的に変化する刺激を前記対象者の圧反射感度を増大するよう設定させる請求項１１０記載のコンピュータ・ソフトウエア製品。
【請求項１３３】
前記命令が、前記コンピュータに、時間的に変化する刺激を発生することと一緒に、運動刺激器を駆動させて、前記対象者の身体の四肢の運動を実行するよう当該対象者を案内する運動刺激を発生する請求項１１０記載のコンピュータ・ソフトウエア製品。
【請求項１３４】
前記命令が、前記コンピュータに前記時間的に変化する刺激を前記対象者が睡眠中であるとき発生させる請求項１１０記載のコンピュータ・ソフトウエア製品。
【請求項１３５】
前記命令が、前記コンピュータに前記時間的に変化する刺激を前記対象者が機械的に換気されるとき発生させる請求項１１０記載のコンピュータ・ソフトウエア製品。
【請求項１３６】
前記命令が、前記コンピュータに、時間的に変化する刺激の発生中に前記対象者の生理的変数の進行中の測定に実質的に応答しない当該時間的に変化する刺激を発生させる請求項１１０から１３５のいずれか一項に記載のコンピュータ・ソフトウエア製品。
【請求項１３７】
前記命令が、前記コンピュータに、前記対象者に前記コンピュータ・ソフトウエア製品を使用する間に前記対象者の生理的変数の測定に応答しない時間的に変化する刺激を発生させる請求項１３６記載のコンピュータ・ソフトウエア製品。
【請求項１３８】
前記命令が、前記コンピュータに、
前記時間的に変化する刺激を発生する前に、生理的事象を検知し且つ当該生理的事象に応答して事象信号を発生するよう適合されたセンサから前記事象信号を受け取らさせ、且つ
前記事象信号に応答して前記時間的に変化する刺激を発生することを開始させる
請求項１１０から１３５のいずれか一項に記載のコンピュータ・ソフトウエア製品。
【請求項１３９】
前記命令が、前記コンピュータに、前記事象信号のパラメータに少なくとも一部応答して初期形式を設定させる請求項１３８記載のコンピュータ・ソフトウエア製品。
【請求項１４０】
前記生理的事象が、睡眠無呼吸の発症を含み、
前記センサが、前記睡眠無呼吸の発症を検知するよう適合されている
請求項１３８記載のコンピュータ・ソフトウエア製品。
【請求項１４１】
前記コンピュータ可読媒体が、その中に、それぞれの初期形式と所望の形式のそれぞれの指示とを有する複数の練習ルーチンを格納するよう適合され、
前記コンピュータが、ユーザ・インターフェースを有し、
前記命令が、前記コンピュータに、
（ａ）前記ユーザ・インターフェースを介して、前記対象者による前記複数の練習ルーチンのうちの１つの練習ルーチンの選択を受け取らさせ、且つ
（ｂ）前記選択に応答して前記時間的に変化する刺激を発生させる
請求項１１０から１３５のいずれか一項に記載のコンピュータ・ソフトウエア製品。
【請求項１４２】
前記ユーザ・インターフェースが、電話機を含み、
前記命令が、前記コンピュータに前記電話機を介して前記選択を受け取らさせる
請求項１４１記載のコンピュータ・ソフトウエア製品。
【請求項１４３】
前記命令が、前記コンピュータに前記時間的に変化する刺激を前記対象者が意識不明であるとき発生させる請求項１１０から１３５のいずれか一項に記載のコンピュータ・ソフトウエア製品。
【請求項１４４】
前記命令が、前記コンピュータに前記時間的に変化する刺激を前記対象者が昏睡状態にあるとき発生させる請求項１４３記載のコンピュータ・ソフトウエア製品。
【請求項１４５】
前記命令が、前記コンピュータに前記時間的に変化する刺激を前記対象者が麻酔状態にされているとき発生させる請求項１４３記載のコンピュータ・ソフトウエア製品。
【請求項１４６】
前記多重フェーズ・バイオリズム活動が、対象者の呼吸作用を含み、
前記命令が、前記コンピュータに呼吸作用を変更するよう前記対象者を案内するよう前記時間的に変化する刺激を設定させる請求項１１０から１３５のいずれか一項に記載のコンピュータ・ソフトウエア製品。
【請求項１４７】
前記対象者の多重フェーズ・バイオリズム活動が、呼吸速度により特徴付けられており、
前記命令が、前記コンピュータに前記時間的に変化する刺激を発生させ、
所望の形式での呼吸速度が、初期形式での呼吸速度と異なる
請求項１４６記載のコンピュータ・ソフトウエア製品。
【請求項１４８】
前記所望の形式における２又はそれより多いフェーズが、前記時間的に変化する刺激を発生する前に多重フェーズ・バイオリズム活動に一般的に含まれない少なくとも１つの呼吸フェーズを含み、
前記命令が、前記コンピュータに前記少なくとも１つの呼吸フェーズの指示を有する前記時間的に変化する刺激を発生させる
請求項１４６記載のコンピュータ・ソフトウエア製品。
【請求項１４９】
前記所望の形式における２又はそれより多いフェーズが、息こらえ及び呼気後休止から成るリストから選択された少なくとも１つの呼吸フェーズを含み、
前記命令が、前記コンピュータに前記の選択された呼吸フェーズの指示を有する前記時間的に変化する刺激を発生させる
請求項１４６記載のコンピュータ・ソフトウエア製品。
【請求項１５０】
前記命令が、前記コンピュータに吸気及び呼気から選択された呼吸フェーズ中に前記対象者の空気の流れに抵抗する抵抗性負荷を前記対象者に適用させる請求項１４６記載のコンピュータ・ソフトウエア製品。
【請求項１５１】
前記命令が、前記コンピュータに、機械的換気装置を駆動させて、時間的に変化する刺激を発生することと一緒に、前記対象者に機械的換気を適用する請求項１４６記載のコンピュータ・ソフトウエア製品。
【請求項１５２】
前記初期形式及び所望の形式における２又はそれより多いフェーズが、吸気及び呼気を含み、
前記命令が、前記コンピュータに、前記時間的に変化する刺激を発生させ、
前記所望の形式における吸気の持続時間の呼気の持続時間に対する比（Ｉ：Ｅ比）が、前記初期形式におけるＩ：Ｅ比より小さい
請求項１４６記載のコンピュータ・ソフトウエア製品。
【請求項１５３】
前記命令が、前記コンピュータに前記時間的に変化する刺激を発生させ、
前記所望の形式におけるＩ：Ｅ比が、約１：０．５と１：４との間である
請求項１５２記載のコンピュータ・ソフトウエア製品。
【請求項１５４】
前記コンピュータが、ユーザ・インターフェースを有し、
前記命令が、前記コンピュータに、
入力を前記対象者から前記ユーザ・インターフェースを介して受け取らさせ、且つ
前記入力に応答して、前記初期形式と前記所望の形式の指示とを格納させる
請求項１１０から１３５のいずれか一項に記載のコンピュータ・ソフトウエア製品。
【請求項１５５】
前記命令が、前記コンピュータに前記所望の形式の指示において２又はそれより多いフェーズの持続時間の指示を前記ユーザ・インターフェースを介して受け取らさせる請求項１５４記載のコンピュータ・ソフトウエア製品。
【請求項１５６】
前記命令が、前記コンピュータに、前記初期形式における２又はそれより多いフェーズのそれぞれの持続時間にわたり動向の指示を前記ユーザ・インターフェースを介して受け取らさせる請求項１５４記載のコンピュータ・ソフトウエア製品。
【請求項１５７】
前記命令が、前記コンピュータに前記初期形式における２又はそれより多いフェーズの持続時間の指示を前記ユーザ・インターフェースを介して受け取らさせる請求項１５４記載のコンピュータ・ソフトウエア製品。
【請求項１５８】
前記命令が、前記コンピュータに前記所望の形式における２又はそれより多いフェーズの持続時間の指示を前記ユーザ・インターフェースを介して受け取らさせる請求項１５４記載のコンピュータ・ソフトウエア製品。
【請求項１５９】
前記命令が、前記コンピュータに前記初期形式の指示において複数のフェーズのうちの少なくとも１つのフェーズの開始指示と終了指示との間の経過時間を測定させる請求項１５４記載のコンピュータ・ソフトウエア製品。
【請求項１６０】
前記開始指示及び終了指示が、前記対象者の呼吸作用のそれぞれの可聴指示を含み、
前記命令が、前記コンピュータに前記の可聴の開始指示及び終了指示を前記ユーザ・インターフェースを介して検知させる
請求項１５９記載のコンピュータ・ソフトウエア製品。
【請求項１６１】
前記命令が、前記コンピュータに、
前記開始及び終了指示を前記対象者からそれぞれの時間に前記ユーザ・インターフェースを介して受け取らせ、且つ
前記開始及び終了指示に応答して前記経過時間を測定させる
請求項１５９記載のコンピュータ・ソフトウエア製品。
【請求項１６２】
対象者の多重フェーズ・バイオリズム活動を変更するよう前記対象者を案内するための出力刺激に対応するデータの配列を備えるデータ記憶媒体であって、
前記刺激が、多重フェーズ・バイオリズム活動パターンの初期形式と前記多重フェーズ・バイオリズム活動パターンの所望の形式との中間の一連の移行形式により特徴付けられる時間的に変動する多重フェーズ・パターンを備え、
前記時間的に変動する多重フェーズ・パターンのうちの少なくとも１つの時間的に変動する多重フェーズ・パターンが、前記多重フェーズ・バイオリズム活動のそれぞれのフェーズに対応し、
前記所望の形式における２つのフェーズの持続時間の比が、前記初期形式におけるそれぞれのフェーズの持続時間の比と異なる
データ記憶媒体。
【請求項１６３】
前記出力刺激が音楽を有する請求項１６２記載のデータ記憶媒体。
【請求項１６４】
前記出力刺激が、イメージ、英数字テキスト、音声、音声パターン、動的グラフィカル・パターン、及び視覚的キューからなるリストから選択された少なくとも１つの刺激を備える請求項１６２記載のデータ記憶媒体。
【請求項１６５】
前記出力刺激が、対象者の身体の一部への印加のための圧力を有する請求項１６２記載のデータ記憶媒体。
【請求項１６６】
前記出力刺激が、対象者の身体の一部へ付与するためのマッサージを有する請求項１６２記載のデータ記憶媒体。
【請求項１６７】
前記出力刺激が、対象者の身体の一部へ付与するための機械的エネルギを有する請求項１６２記載のデータ記憶媒体。
【請求項１６８】
前記出力刺激が、対象者の身体の一部へ印加するための電気的エネルギを有する請求項１６２記載のデータ記憶媒体。
【請求項１６９】
対象者に使用のための装置であって、
データの複数の配列を備えるデータ記憶媒体を備え、
各配列が、対象者の多重フェーズ・バイオリズム活動を変更するよう前記対象者を案内するための出力刺激に対応し、
前記刺激が、多重フェーズ・バイオリズム活動パターンの初期形式と前記多重フェーズ・バイオリズム活動パターンの所望の形式との中間の一連の移行形式により特徴付けられる時間的に変動する多重フェーズ・パターンを備え、
前記時間的に変動する多重フェーズ・パターンのうちの少なくとも１つの時間的に変動する多重フェーズ・パターンが、前記多重フェーズ・バイオリズム活動のそれぞれのフェーズに対応し、
前記所望の形式における２つのフェーズの持続時間の比が、前記初期形式におけるそれぞれのフェーズの持続時間の比と異なり、
選択された配列に対応する前記出力刺激を発生するよう適合された刺激ユニットを更に備える、装置。
【発明の詳細な説明】
【技術分野】
【０００１】
［関連出願の相互参照］
本特許出願は、２００２年８月９日に出願され、発明の名称が「バイオリズム活動の変更のための一般化されたメトロノーム」であるＧａｖｉｓｈの米国仮特許出願６０／４０２，３７８の恩恵を主張し、該米国仮特許出願は、本特許出願の譲受人に譲渡され、本出願に援用されている。
【０００２】
［発明の分野］
本発明は、一般的には、医療装置に関し、詳細には、ユーザのバイオリズム活動を変更する練習装置に関する。
【０００３】
［発明の背景］
物理的練習は、多くの場合、呼吸のような多重フェーズ・バイオリズム活動（ｍｕｌｔｉ−ｐｈａｓｅｄ  ｂｉｏｒｈｙｔｈｍｉｃ  ａｃｔｉｖｉｔｙ）を変更することを伴う。鬱血心不全（ＣＨＦ）を含む多数の心臓血管疾患、及び慢性閉塞性肺疾患（ＣＯＰＤ）を含む多数の肺疾患において、呼吸パターンは不規則性を示す。これらの不規則性は、疾病関連死亡率及び罹患率に関する既知のマーカである。典型的な不規則性は、チェイン−ストークス呼吸（過呼吸を伴う中央無呼吸交互性の反復性発症（ｒｅｃｕｒｒｅｎｔ  ｅｐｉｓｏｄｅｓ  ｏｆ  ｃｅｎｔｒａｌ  ａｐｎｅａ  ａｌｔｅｒｎａｔｉｎｇ  ｗｉｔｈ  ｈｙｐｅｒｐｎｅａ）、約１変調／分の割合で振幅変調された呼吸（周期性変動呼吸）、反復性ため息、及びランダムな振幅及び周期の呼吸を含む。呼吸パターンの不規則性の低減は、心臓の改善を示す。心血管性反射は、器官への血液の供給の変動を最小にしようとして血圧及び血液量を制御する（ホメオスターシス）が、その心血管性反射の機能障害はまた、心臓血管及び精神身体の疾患において臨床的に有意である。
【０００４】
Ｇａｖｉｓｈへの米国特許Ｎｏ．５，０７６，２８１及びＮｏ．６，０９０，０３７は本明細書に援用されており、それらは、ユーザの１又はそれより多い変数を測定することによりバイオリズム活動を変更するための方法及び装置を記載する。この特許は、モニタリングされたバイオリズム活動と所定の方法で関連した方法でユーザのバイオリズム活動を変えるように、ユーザに与えられる刺激を発生することを記載する。
【０００５】
Ｇａｖｉｓｈへの米国特許Ｎｏ．５，４２３，３２８は本明細書に援用されており、それは、呼吸作用をモニタリングするストレス検出装置、及び特に、ユーザの呼吸から生じる胸又は腹の周縁変化を検出しモニタリングする方法を記載する。米国特許Ｎｏ．４，５８０，５７４は本明細書に援用されており、それは、生きている組織の特性を非侵襲的にモニタリングする方法を記載する。
【０００６】
Ｇａｖｉｓｈへの米国特許Ｎｏ．６，０９０，０３７は本明細書に援用されており、それは、ユーザのバイオリズム活動をモニタリングすることによりユーザの律動性の身体活動をモニタリングすることにより、そしてユーザが自発的に追随するときバイオリズム活動の変化を駆動する方法で、似ているがしかしモニタリングされたバイオリズム活動と異なる刺激パターンをユーザに与えることにより、ユーザの律動性の身体活動を変更するための技術を記載する。
【０００７】
Ｇａｖｉｓｈ他へのＰＣＴ公開公報ＷＯ０１／０２０４９は本明細書に援用されており、それは、ユーザの健康を改善することを促進する技術であって、ユーザの自発的活動を示す第１の生理的変数を測定するよう適合された第１のセンサと、ユーザの直接的且つ自発的制御の下に全く有るわけではない第２の生理的変数を測定するよう適合された第２のセンサと、第１及び第２のセンサ信号を第１及び第２のセンサからそれぞれ受け取り、それらに応答して、ユーザに自発的活動のパラメータを変更するよう指図する出力信号を発生するよう適合された回路とを含む技術を記載する。上記ＰＣＴ公開公報ＷＯ０１／０２０４９はまた、ローカル・サイトのローカル計算装置を備える介入−診断システムであって、ローカル・サイトのユーザに介入し、ユーザに取り付けられた１又はそれより多いセンサから、ユーザの生理的状態を示す１又はそれより多い入力信号を受け取る介入−診断システムを記載する。記載された一実施形態は、１つのセンサを用いて呼吸運動をモニタリングし、そして第２のセンサにより測定された血液酸素化（ｂｌｏｏｄ  ｏｘｙｇｅｎａｔｉｏｎ）を最適化しようとして呼吸パターンを変更するようユーザを案内することを含む。
【０００８】
Ｓｃｈｗｅｉｚｅｒへの米国特許Ｎｏ．４，１９５，６２６は本明細書に援用されており、それは、可聴の、視覚的の、又は触覚の刺激を対象者に律動性パターンに従って与えるためのバイオフィードバック・チャンバーを記載する。対象者の反応が、測定され、解析され、そして刺激を制御するため用いられる。
【０００９】
Ｂｒｏｗｎへの米国特許Ｎｏ．５，６７８，５７１は本明細書に援用されており、それは、医療状態を治療するための生理的方針を選定し、次いで対話型ビデオ・ゲームのため電子的命令を符号化することを含む患者の医療状態を治療する方法を記載する。当該ゲームは、生理的方針を実行し、そして電子的命令を、ビデオ・ゲームを表示するディスプレイを装備するマイクロプロセッサ・ベースの装置へロードする。当該ゲームは、命令の得点を計って、患者の医療状態を定量的に解析し、命令及びセルフケア命令に助言を与えることを含む。ビデオ・ゲームを、マイクロプロセッサ・ベースの装置に接続された生理的変数測定装置と一緒に用いることができる。
【００１０】
Ｂｒｏへの米国特許Ｎｏ．５，５９６，９９４は本明細書に援用されており、それは、医者、カウンセラー、又はトレーナーが一連の動機付けメッセージ及び／又は質問を作成し、クライアントに送って、特定の行動問題を変え又は補強するのを可能にする自動化された対話型積極的動機付けシステムを記載する。
【００１１】
Ｃｌｙｎｅｓへの米国特許Ｎｏ．５，５９０，２８２、及びＣｈａｄａｂｅへの米国特許Ｎｏ．４，５２６，０７８は本明細書に援用されており、それは、コンピュータに音楽を作曲させる技術を記載する。
【００１２】
Ｋｎｉｓｐｅｌ他への米国特許Ｎｏ．４，８８３，０６７は本明細書に援用されており、それは、対象者の様々な心理学的及び生理的状態を誘導し且つ制御するように、対象者の脳波を音楽に翻訳する方法を記載する。
【００１３】
Ｙａｇｉへの米国特許Ｎｏ．４，７９８，５３８は本明細書に援用され、それは、腹式呼吸訓練システムを記載する。人の腹式呼吸の状態は、腹部に取り付けられたセンサにより測定され、そして検出された呼吸パターンが、理想的呼吸パターンと比較される。
【００１４】
Ｌｉｃｈｔｅｒ他への米国特許Ｎｏ．５，８２７，１７９は本明細書に援用されており、それは、１又はそれより多い生物学的データ・センサから生物学的データを入力してそれを処理し、且つ他のリアルタイムの生物学的データ処理ＰＣカードと交換可能であるよう適合されたリアルタイムの生物学的データ処理ＰＣカードを記載する。
【００１５】
ＤｅＶｉｔｏへの米国特許Ｎｏ．６，００１，０６５は本明細書に援用されており、それは、システムの制御のための脳波（ＥＥＧ）信号及び筋電図（ＥＭＧ）信号のような生物学的信号を測定し、且つリアルタイムの高速フーリエ変換（ＦＦＴ）解析を実行する技術を記載する。ビデオ・ゲーム、映画、音楽、仮想現実（バーチャル・リアリティ）、及びコンピュータ・アニメーションのような様々な電子的媒体との受動的及び能動的対話がまた記載されている。
【００１６】
Ｈｏｋｅへの米国特許Ｎｏ．６，５６１，９０８は本明細書に援用されており、それは、メトロノーム・システムを有するゲーム装置を記載する。メトロノーム・システムは、チェックバック・レートにより決定されたカチカチ音についてのゲーム状態データを読みとるＣＰＵを含む。ＣＰＵは、音声ファイル変化に、いずれのカチカチ音が生じる任意の時間に生じさせ、それにより複数の音声記録をオンビート又はその他でインターフェースするのを可能にする。この発明は、ゲーム装置にプレーヤの喜び及び楽しみを追加して、増強された音声及び音楽能力をゲーム装置に与えることが記載されている。
【００１７】
Ｒｕｆへの米国特許Ｎｏ．５，８５０，０４８は本明細書に援用されており、それは、電子メトロノームと、１分当たりのビート数を含む音楽署名のエントリと関連したキーボードとを備えるメトロノーム装置を記載する。このメトロノーム装置はまた、音楽署名の電子バージョンを発生するタイミング手段と、音楽署名と関連した情報を格納するメモリと、電子制御器とを備える。電子制御器は、キーボードにより入力された音楽署名を表す情報を格納し、タイミング手段により発生された信号を、ディスプレイで見えるのに適した音楽署名の視覚的表示に変換し、そして当該ディスプレイを音楽署名の１尺度当たりのビート（ｂｅａｔ−ｐｅｒ−ｍｅａｓｕｒｅ）の様相に従って更新し、それによりユーザが尺度の正しいビートに関して情報を視覚的に知らされ得る。キーボードはまた、テンポ・キーと、所望のテンポの入力を容易にする１組の数字キーと、１又はそれより多いテンポ・プリセット・キーとを含み得る。
【００１８】
Ｍｙｅｒｓ他への米国特許Ｎｏ．５，７５１，８２５は本明細書に援用されており、それは、電子メトロノームと組み合わされたヘッドフォンを備える装置を記載する。このヘッドフォンは２つのイヤーカップ（ｅａｒｃｕｐ）と、各イヤーカップ内に収容され、外部源から受け取って電子的可聴信号を再生する第１の組みのトランスデューサと、イヤーカップ内に収容されたテンポ・デバイスとして用いられる電子的作動されるメトロノーム回路と、各イヤーカップ内に収容され、メトロノーム回路から発生する音声信号を生成する第２の組みのトランスデューサと、メトロノーム回路から発生する時間ビートを増大及び低減するテンポ制御スイッチとを備える。
【００１９】
Ｒｏｓｅｎへの米国特許Ｎｏ．５，５１５，７６４は本明細書に援用されており、それは、正確に調時され且つ同調されたリズム及びピッチを生成する電子メトロノームであって特定のスケール又はモード、アルペッジョ、コード及びエチュードに対応するよう事前プログラムされている電子メトロノームを記載する。マイクロプロセッサとユーザ・インターフェースとの組み合わせは、これらの音楽的練習曲を格納し、それらを電子メモリから検索し、それらを信号プロセッサへ増幅及び変調のため入力し、そしてそれらをスピーカ、光学的ディスプレイ、又はオーディオ出力へ出力する。
【００２０】
Ｍａｒｒａｓｈへの米国特許Ｎｏ．５，４４７，０８９は本明細書に援用されており、それは、ユーザが手を楽器から離さず又は演奏を中断せずにテンポをある連続範囲にわたり調整するのを可能にする足踏スイッチを有する電子的にプログラム可能なメトロノームを記載する。当該メトロノーム装置は、メニュー選択、プロンプト、及びテンポの調整用視覚的キュー、ビート・パターンのクリックの種類の選択のためのディスプレイを含む。メトロノーム装置用のマイクロコントローラは、時間署名、リズム、又はパターンと所望のキュー又はアクセントとの任意の組み合わせを用いてプログラムすることができる。
【００２１】
Ｗａｙｎｅへの米国特許Ｎｏ．５，４０２，１８８は本明細書に援用されており、それは、リズミカルな又は周期的な視覚信号を水泳者に送るペーシング装置を含むペーシング・ゴーグルを記載する。間歇的信号は、水泳者のストロークのペースを調整するのに使用のためメトロノームに似た基準を与える。間歇的信号の周波数は、水泳者の好むペースと一致するよう調整することができる。
【００２２】
Ｐｅｎｄｅｒｇａｓｔ他への米国特許Ｎｏ．６，０８６，３７９は本明細書に援用されており、それは、水泳者の生体力学、１ストローク当たりの距離、及び好気的代謝を改善するため用いられるトレーニング・システム及び方法を記載する。このシステムは、コーチ又は水泳者がペース・ライト（ｐａｃｅ  ｌｉｇｈｔｓ）及びタイミング・システムを用いて、又は代替としてシステムの内部トレーニング・プログラムを用いて、特定のトレーニング方針を入力するのを可能にするコンピュータ・インターフェースを採用する。システムは、水泳者からのデータを収集するためのジェネレータとして機能する。システムは、（ａ）水泳者が水泳ストロークのどの部分にいるかを閃光信号又は類似のものを介して水泳者に通信することにより水泳者が特定のストローク頻度を達成するのを支援するＬＥＤ付き水泳ゴーグルと、（ｂ）水泳者が適切な水泳速度を得るのを支援するため複数のコンピュータ制御されたペース・ライト・ストリップの配列とを含む。
【００２３】
Ｍｉｌｅｙへの米国特許Ｎｏ．５，９２１，８９０は本明細書に援用されており、それは、ユーザが所望のペース又はテンポを達成するのを助けるプログラム可能なペーシング装置を記載する。この装置は、複数の異なる可聴信号を発することができ、それぞれの可聴信号は、選択されたペース情報をユーザに送る。この装置は、トレーニング又はレース・ペースを、又は例えば、パーキンソン病の治療として順向医療レジーム（ｐｒｏａｃｔｉｖｅ  ｍｅｄｉｃａｌ  ｒｅｇｉｍｅ）を支援するための歩行ペース装置のような応用のための、又は他の生理的治療ベースの活動のための医療分野で支援するため運動選手により使用可能であるものとして記載されている。
【００２４】
Ｉｓｈｉｋａｗａへの米国特許Ｎｏ．５，０２７，６８６は本明細書に援用されており、それは、所望のテンポを設定するための回路と、適時に所望のテンポに対応するテンポ信号を発生する回路と、所望の期間を設定するための回路と、適時に所望の期間の終わりに対応するタイムアップ信号を発生する回路とを備える電子メトロノームを記載する。音声発生器が、テンポ信号及びタイムアップ信号を受け取り、各テンポ信号に対してテンポ音を、そしてタイムアップ信号に対してタイムアップ音を発生する。制御回路は、タイムアップ音の発生後にテンポ音の発生を終了する。
【００２５】
Ｒｏｔｈｂａｒｔへの米国特許Ｎｏ．４，７３３，５９３は本明細書に援用されており、それは、ビートのタイプ（強弱）、パターン（強弱の順序及び数）、及び周波数が、キーボード又は類似のものにより手動でプログラム可能であり且つ情報を格納することが可能であるメモリに格納されたデータにより決定されて、それにより様々なシーケンスに組み合わされた異なるタイプ、パターン及び相対頻度のメトロノーム・ビートを生成し、且つ１又はそれより多いそれらのシーケンスから成るメトロノーム楽節を生成し、前記メモリが複数のそのような楽節を格納することができ、且つそのような楽節に対応するビートを指令で生成することができるマイクロプロセッサ制御されたメトロノームを記載する。
【００２６】
Ｒｏｍｍｅｙ他への米国特許Ｎｏ．５，５９２，１４３は本明細書に援用されており、それは、パルス化されたトーン・タイミング方法を記載する。パルス化された可聴案内トーンが、初期パルス化速度で作動される。パルス化速度が操作されて、それにより、所定の最終パルス化速度が達成されるまで、繰り返し、（ｉ）パルス化速度を或る時間スパンにわたり中間のパルス化速度まで増大し、そして（ｉｉ）そのパルス化速度を、中間のパルス化速度と前のパルス化速度との間に或る低減された速度まで急激に落とす。パルス化速度は、各後続の中間のパルス化速度が前の中間のパルス化速度より速い速度でパルス化するように操作されることができる。
【００２７】
Ｓｃｈｒｅｉｂｅｒ他への米国特許Ｎｏ．６，２１２，１３５は本明細書に援用されており、それは、少なくとも１つの呼吸作用サイクルから成る注目の呼吸セッションに参加する個人を支援するための装置を記載する。この装置は、呼吸作用サイクルの呼気フェーズに対応する第１の知覚キューと、呼吸作用サイクルの吸入フェーズに対応する第２の知覚キューとを生成する。第１及び第２の知覚キューは、個人により又は所定のプログラムに従って選択された注目の呼吸セッションの持続時間にわたりこの装置により特定の速度で繰り返し生成される。この装置の一実施形態においては、知覚キューは、光投影球面により視覚的に生成される。別の実施形態においては、知覚キューは可聴式である。
【００２８】
Ｆｒｅｓｑｕｅｚ他への米国特許Ｎｏ．４，７１１，５８５は本明細書に援用されており、それは、妊婦が分娩を容易にする目的のため彼女の呼吸を同期させ得る知覚可能なキューイング信号を当該妊婦に与える装置であって、生理的に知覚可能なトランスデューサを駆動する選択可能な周波数及びデューティ・サイクルの発振器を含む上記装置を記載する。
【００２９】
Ｓｅｎｇｈａａｓ他への米国特許Ｎｏ．４，５８３，４４３は本明細書に援用されており、それは、音楽の学生を様々なリズム・パターンで訓練するための電子メトロノームを記載する。
【００３０】
Ｌｕｚｚａｔｔｏへの米国特許Ｎｏ．４，９７４，４８３は本明細書に援用されており、いずれの音楽作品の全ての小節及び速度特性を登録し、そして音楽作品が上演されるべきとき、適切なセッションにおいてそのような特性を表す実質的に鋭い、知覚可能な、例えば、音響信号を生成することが可能であるプログラム可能な電子メトロノームを記載する。
【００３１】
以下の米国特許は本明細書に援用されており、それらは関心があるものである。
【００３２】
【表１】
2005535378.tif 000003
【００３３】
以下の文献は本明細書に援用されており、それらは関心があるものである。
Ｃｏｏｋｅ他、「制御された呼吸プロトコルが人間の自律性心臓血管リズムをプローブ調査する（Ｃｏｎｔｒｏｌｌｅｄ  ｂｒｅａｔｈｉｎｇ  ｐｒｏｔｏｃｏｌｓ  ｐｒｏｂｅ  ｈｕｍａｎ  ａｕｔｏｎｏｍｉｃ  ｃａｒｄｉｏｖａｓｃｕｌａｒ  ｒｈｙｔｈｍｓ）」、生理学のアメリカン・ジャーナル（Ａｍｅｒｉｃａｎ  Ｊｏｕｒｎａｌ  ｏｆ  Ｐｈｙｓｉｏｌｏｇｙ）、２７４：Ｈ７０９−Ｈ７１８（１９９８）
Ｐｉｚａｌｉｓ他、「ＲＲ間隔と収縮期血圧ゆらぎとの間の関係への呼吸速度の影響：頻度依存現象（Ｅｆｆｅｃｔ  ｏｆ  ｒｅｓｐｉｒａｔｏｒｙ  ｒａｔｅ  ｏｎ  ｔｈｅ  ｒｅｌａｔｉｏｎｓｈｉｐ  ｂｅｔｗｅｅｎ  ＲＲ  ｉｎｔｅｒｖａｌ  ａｎｄ  ｓｙｓｔｏｌｉｃ  ｂｌｏｏｄ  ｐｒｅｓｓｕｒｅ  ｆｌｕｃｔｕａｔｉｏｎｓ：ａ  ｆｒｅｑｕｅｎｃｙ−ｄｅｐｅｎｄｅｎｔ  ｐｈｅｎｏｍｅｎｏｎ）」、心臓血管研究（Ｃａｒｄｉｏｖａｓｃｕｌａｒ  Ｒｅｓｅｒｃｈ）３８：３３２−３３９（１９９８）
Ｂｅｒｎａｒｄｉ他、「慢性心不全における酸素飽和及び練習性能への呼吸速度の影響（Ｅｆｆｅｃｔ  ｏｆ  ｂｒｅａｔｈｉｎｇ  ｒａｔｅ  ｏｎ  ｏｘｙｇｅｎ  ｓａｔｕｒａｔｉｏｎ  ａｎｄ  ｅｘｅｒｃｉｓｅ  ｐｅｒｆｏｒｍａｎｃｅ  ｉｎ  ｃｈｒｏｎｉｃ  ｈｅａｒｔ  ｆａｉｌｕｒｅ）」、ランセット（Ｌａｎｃｅｔ）３５１：１３０８−１３１１（１９９８）
Ｍｏｒｔａｒａ他、「異常覚醒時呼吸パターンが慢性心不全で共通であり、且つ心拍数変動性の尺度による自律性トーンの評価を妨げ得る。（Ａｂｎｏｒｍａｌ  ａｗａｋｅ  ｒｅｓｐｉｒａｔｏｒｙ  ｐａｔｔｅｒｎｓ  ａｒｅ  ｃｏｍｍｏｎ  ｉｎ  ｃｈｒｏｎｉｃ  ｈｅａｒｔ  ｆａｉｌｕｒｅ  ａｎｄ  ｐｒｅｖｅｎｔ  ｅｖａｌｕａｔｉｏｎ  ｏｆ  ａｕｔｏｎｏｍｉｃ  ｔｏｎｅ  ｂｙ  ｍｅａｓｕｒｅｓ  ｏｆ  ｈｅａｒｔ  ｒａｔｅ  ｖａｒｉａｂｉｌｉｔｙ）」、サーキュレーション（血液循環）（Ｃｉｒｃｕｌａｔｉｏｎ）９６：２４６−２５２（１９９７）
Ｌａ  Ｒｏｖｅｒｅ他、「心筋梗塞後の全心臓病死亡率の予測における圧反射感度及び心拍数変動性（Ｂａｒｏｒｅｆｌｅｘ  ｓｅｎｓｉｔｉｖｉｔｙ  ａｎｄ  ｈｅａｒｔ−ｒａｔｅ  ｖａｒｉａｂｉｌｉｔｙ  ｉｎ  ｐｒｅｄｉｃｔｉｏｎ  ｏｆ  ｔｏｔａｌ  ｃａｒｄｉａｃ  ｍｏｒｔａｌｉｔｙ  ａｆｔｅｒ  ｍｙｏｃａｒｄｉａｌ  ｉｎｆａｒｃｔｉｏｎ）」、ランセット（Ｌａｎｃｅｔ）３５１：４７８−４８４（１９９８）
Ｇｉｍｏｎｄｏ他、「二重ドップラ断層撮影を用いた小さい腸運動性を評価する新しい方法（Ａ  ｎｅｗ  ｍｅｔｈｏｄ  ｆｏｒ  ｅｖａｌｕａｔｉｎｇ  ｓｍａｌｌ  ｉｎｔｅｓｔｉｎａｌ  ｍｏｔｉｌｉｔｙ  ｕｓｉｎｇ  ｄｕｐｌｅｘ  Ｄｏｐｐｌｅｒ  ｓｏｎｏｇｒａｐｈｙ）」、ＡＪＲ、レントゲン線学のアメリカン・ジャーナル（Ａｍｅｒｉｃａｎ  Ｊｏｕｒｎａｌ  ｏｆ  Ｒｏｅｎｔｇｅｎｏｌｏｇｙ）、１６８（１）：１８７−１９２（１９９７）。
【００３４】
［発明の概要］
本発明の幾つかの実施形態においては、ユーザのバイオリズム活動の有益な変更のための装置は、多重フェーズ律動性出力信号を発生し且つ動的に変更するよう適合されたメトロノームを備える。典型的には、バイオリズム活動は呼吸作用を含み、そしてこの装置は、呼吸作用の１又はそれより多いタイミング・パラメータを変更するようユーザに指令するように出力信号を設定する。代替として、この装置は、生理的センサ（例えば、呼吸作用センサ）を備えるが、しかし当該装置は、データをセンサから、タイミング・パラメータを変更するようユーザに指令する前に且つ実質的に出力信号の発生及び変更の全体を通してではなく受け取る。
【００３５】
出力信号は、典型的には、音声パターン及び／又は動的グラフィカル・パターンのような理解可能な刺激を備える。当該刺激は、典型的には、新しい呼吸パターンを開始するようユーザを訓練することにより当該ユーザの呼吸作用を変更しようと意図している。例えば、出力信号は、吸気の呼気に対する比を低減させるように吸気と呼気のタイミングを変えるようユーザに指令し得る。幾らかの介入に対して、この比を、例えば、一般的に１：１又は１：２の事前介入レベルから１：４に向けて低減することが望ましい。幾らかの介入に対して、新しい呼吸パターンは、正常の指示のない呼吸パターンに一般的には含まれない追加のフェーズを含む。例えば、正常の呼吸は、一般的に、２つのフェーズ、即ち、吸気と呼気とを含む。上記装置は、息こらえ及び／又は事後吸気休止のフェーズを追加するようユーザに指令するよう出力信号を設定し得る。
【００３６】
使用の典型的なセッション中に、ユーザは、記憶された練習パターンを選択し、そして上記装置を起動させ、当該パターンに応答して出力信号を発生する。ユーザは、典型的には、上記装置を、或る期間、一般的に、日、月、年にわたって延長する複数のセッション中に用いる。各セッションは、典型的には、約１０分と約２０分との間の長さ、最も典型的には約１５分の長さを有する。ユーザは、典型的には、練習パターンを上記期間にわたって徐々に変更するよう上記装置を設定し、それは、一般的に、心臓血管系、肺循環系及び神経系を、練習により生じた動的変化へ適合させるのを容易にする。上記装置の使用は、多くの場合、練習実行のルーチン・スケジュールに則った実質的増大をもたらす。上記装置なしでは、呼吸練習を必要とする対象者は、一般的には、例えば、個人鍛錬の退屈又は欠如のために、訓練実行のルーチン・スケジュールに対して適切に忠実でない。
【００３７】
上記装置の定型化した使用は、発明の背景で記載したように、ユーザが有する自発的制御の程度を、病気に関連した呼吸不規則性を越えて増大させ得る。従って、そのようなルーチン使用は、一部の医療条件と関連した死亡率及び罹患率を低減するために有益であり得る。例えば、上記装置の使用は、次の状態を処置するのに有益であり得る。
【００３８】
・鬱血心不全（ＣＨＦ）を含む一部の心臓血管疾患
・慢性閉塞性肺疾患（ＣＯＰＤ）を含む一部の肺疾患
・パニック障害のような一部の神経障害病
・高血圧、及び
・子供におけるような運動過剰
【００３９】
本明細書に記載された技術は、（ａ）２０００年７月６日に出願され、発明の名称が「介入−診断装置（Ｉｎｔｅｒｖｅｎｔｉｖｅ−ｄｉａｇｎｏｓｔｉｃ  ｄｅｖｉｃｅ）」である米国特許出願０９／６１１，３０４、（ｂ）Ｇａｖｉｓｈ他へのＰＣＴ公開公報ＷＯ０１／０２０４９、及び／又は（ｃ）２００２年１２月１３日に出願されたＧａｖｉｓｈの米国特許出願１０／３２３，５９６に記載された技術と一緒に用いることができる。なお、これらの特許出願の全ては、本特許出願の譲受人に譲渡され、そして本明細書に援用される。代替として又は追加として、本明細書に記載された技術は、本特許出願の背景のセクションで引用した参照文献の１又はそれより多い参照文献に記載された技術と一緒に用いることができる。
【００４０】
装置のユーザ、即ち、バイオリズム活動が上記装置により変更されつつある人が、装置をプログラミングする及び／又は設定する（ｃｏｎｆｉｇｕｒｅ）として、時に本明細書に記載されるが、そのようなプログラミング及び／又は設定はまた、ユーザ以外の人、例えば、健康管理従事者又は練習インストラクタにより実行され得る。彼らは、例えば、装置ユーザ・インターフェースを介してか、又は遠隔で電話機又はネットワーク接続を介してかのいずれかにより装置を設定及び／又はプログラミングし得る。
【００４１】
従って、本発明の一実施形態に従って、対象者に使用の装置であって、
１組のコンピュータ命令を格納するメモリを備え、
前記メモリが、その中に、多重フェーズ・バイオリズム活動パターンの初期形式と当該多重フェーズ・バイオリズム活動パターンの所望の形式の指示とを格納するよう適合され、
前記所望の形式における２つのフェーズの持続時間の比が、前記初期形式におけるそれぞれのフェーズの持続時間の比と異なり、
前記多重フェーズ・バイオリズム活動パターンの少なくとも１つのフェーズが、対象者の多重フェーズ・バイオリズム活動のそれぞれのフェーズに対応し、
刺激ユニットを更に備え、
前記刺激ユニットは、前記の格納された命令を実行し、且つ当該命令に応答して時間的に変化する刺激を発生するよう適合され、
前記時間的に変化する刺激は、（ａ）当該時間的に変化する刺激の発生中に多重フェーズバイオリズム活動の進行中の測定に実質的に応答することをしないで、且つ（ｂ）前記初期形式とバイオリズム活動を変更するよう前記対象者を案内する前記所望の形式との中間の一連の移行形式により特徴付けられる多重フェーズ・パターンを有する、装置が提供される。
【００４２】
或る応用に対しては、前記刺激ユニットが、前記多重フェーズ・パターンを有する時間的に変化する刺激を発生するよう適合され、そして前記一連の移行形式の中の移行形式の持続時間が、時間に対して線形に変化する。代替として、前記刺激ユニットが、前記多重フェーズ・パターンを有する時間的に変化する刺激を発生するよう適合され、そして前記一連の移行形式の中の移行形式の持続時間が、時間に対して幾何学的に変化する。
【００４３】
一実施形態においては、前記初期形式が、第１の或る一定数のフェーズを有し、前記所望の形式が、第２の或る一定数のフェーズを有し、第１の所定数が第２の所定数と等しくなく、そして前記メモリが、その中に、前記初期形式と、異なる或る一定数のフェーズを有する前記所望の形式とを格納するよう適合されている。
【００４４】
一実施形態においては、前記初期形式が、前記所望の形式の或る一定数のフェーズより大きい或る一定数のフェーズを有し、そして前記メモリが、ゼロに等しい前記フェーズの持続時間を前記所望の形式において設定することにより、前記初期形式内にあるが前記所望の形式内にないフェーズを表すよう適合されている。代替として、前記所望の形式が、前記初期形式の或る一定数のフェーズより大きい或る一定数のフェーズを有し、そして前記メモリが、ゼロに等しい前記フェーズの持続時間を前記初期形式において設定することにより、前記所望の形式内にあるが前記初期形式内にないフェーズを表すよう適合されている。更に代替として、前記初期形式及び前記所望の形式が、同数のフェーズを有し、そして前記メモリが、その中に、前記初期形式と、同数のフェーズを有する前記所望の形式の指示とを格納するよう適合されている。
【００４５】
一実施形態においては、前記メモリが、その中に、前記装置を前記対象者に使用する前に、前記初期形式と前記所望の形式の指示とを格納するよう適合されている。
一実施形態においては、前記時間的に変化する刺激は、イメージ、英数字テキスト、音声、音声パターン、動的グラフィカル・パターン、及び視覚的キューからなるリストから選択された少なくとも１つの刺激を含み、そして前記刺激ユニットが、前記の選択された時間的に変化する刺激を発生するよう適合された視覚的刺激器を含む。一実施形態においては、前記時間的に変化する刺激は、圧力を含み、そして前記刺激ユニットが、圧力を対象者の身体の一部に印加するよう適合された圧力アプリケータを含む。一実施形態においては、前記時間的に変化する刺激が、マッサージを含み、そして前記刺激ユニットが、マッサージを対象者の身体の一部に与えるよう適合されたマッサージ・デバイスを含む。一実施形態においては、前記時間的に変化する刺激が、機械的エネルギを含み、そして前記刺激ユニットが、機械的エネルギを対象者の身体の一部に与えるよう適合された機械的エネルギ刺激器を含む。一実施形態においては、前記時間的に変化する刺激が、電流を含み、そして前記刺激ユニットが、電流を対象者の身体の一部に印加するよう適合された電気的刺激器を含む。一実施形態においては、前記時間的に変化する刺激が、ゲームの形式であり、そして前記刺激ユニットが、多重フェーズ・バイオリズム活動を変更するよう対象者を案内するようにゲームのパラメータを変えるよう適合されたゲーム発生器を含む。
【００４６】
或る応用に対して、前記刺激ユニットが、前記時間的に変化する刺激を電話回線網を介して対象者に送信するよう適合されている。代替として、前記刺激ユニットが、前記時間的に変化する刺激をワイド・エリア・ネットワークを介して対象者に送信するよう適合されている。
【００４７】
一実施形態においては、前記装置は、前記刺激ユニットと一緒に動作し且つ対象者の筋肉に当該筋肉を刺激するよう設定された電流を印加するよう適合された筋肉刺激器を含む。
【００４８】
一実施形態においては、前記刺激ユニットが、対象者の組織酸素化を増大するよう、及び／又は対象者の血管の機械的コンプライアンスを増大するよう、及び／又は対象者の小血管の周辺インピーダンスを低減するよう、及び／又は対象者の心拍数可変性を増大するよう、及び／又は対象者の圧反射感度を増大するよう、前記時間的に変化する刺激を設定するよう適合されている。
【００４９】
一実施形態においては、前記装置は、前記刺激ユニットと一緒に動作し且つ対象者の身体の四肢の運動を実行するよう当該対象者を案内する運動刺激を発生するよう適合された運動刺激器を含む。
【００５０】
或る応用に対して、前記刺激ユニットが、前記時間的に変化する刺激を対象者が睡眠中であるとき発生するよう適合されている。或る応用に対して、前記刺激ユニットが、前記時間的に変化する刺激を対象者が機械的に換気されるとき発生するよう適合されている。
【００５１】
一実施形態においては、前記時間的に変化する刺激が音楽を含む。或る応用に対して、前記刺激ユニットが、音楽を発生するよう適合された音楽シンセサイザを含む。
一実施形態においては、前記刺激ユニットが、時間的に変化する刺激の発生中に対象者の生理的変数の進行中の測定に実質的に応答しない当該時間的に変化する刺激を発生するよう適合されている。一実施形態においては、前記刺激ユニットが、前記装置を対象者に使用中に前記対象者の生理的変数の測定に応答しない時間的に変化する刺激を発生するよう適合されている。
【００５２】
一実施形態においては、前記装置は、生理的事象を検知し且つ当該生理的事象に応答して事象信号を発生するよう適合されたセンサを含み、そして前記装置が、前記時間的に変化する刺激を前記刺激ユニットにより発生する前に前記事象信号を受け取るよう適合されており、そして前記刺激ユニットが、前記事象信号に応答して前記時間的に変化する刺激を発生するのを開始するよう適合されている。或る応用に対して、前記装置が、前記事象信号のパラメータに少なくとも一部応答して初期形式を設定するよう適合されている。一実施形態においては、前記生理的事象が、睡眠無呼吸の発症を含み、そして前記センサが、前記睡眠無呼吸の発症を検知するよう適合されている。
【００５３】
一実施形態においては、前記メモリが、その中に、それぞれの初期形式と所望の形式のそれぞれの指示とを有する複数の練習ルーチンを格納するよう適合されており、そして前記刺激ユニットが、対象者が前記練習ルーチンのうちの１つを選択するのを可能にするよう適合されたユーザ・インターフェースを含み、そして前記刺激ユニットが、前記選択に応答して前記時間的に変化する刺激を発生するよう適合されている。或る応用に対して、前記ユーザ・インターフェースが電話機を含む。代替として、前記インターフェースが、オーディオ再生装置のユーザ・インターフェースを含む。更なる代替として、前記ユーザ・インターフェースが、汎用コンピュータのユーザ・インターフェースを含む。
【００５４】
一実施形態においては、前記刺激ユニットが、前記時間的に変化する刺激を対象者が意識不明であるあるとき発生するよう適合されている。或る応用に対して、前記刺激ユニットが、前記時間的に変化する刺激を対象者が昏睡状態にあるとき発生するよう適合されている。或る応用に対して、前記刺激ユニットが、前記時間的に変化する刺激を対象者が麻酔状態にされているとき発生するよう適合されている。
【００５５】
一実施形態においては、前記多重フェーズ・バイオリズム活動が、対象者の呼吸作用を含み、そして前記刺激ユニットが、呼吸作用を変更するよう前記対象者を案内するため前記時間的に変化する刺激を設定するよう適合されている。一実施形態においては、前記対象者の多重フェーズ・バイオリズム活動が、呼吸速度により特徴付けられており、そして前記メモリが、その中に、初期形式と所望の形式の指示とを格納するよう適合されており、そして所望の形式での呼吸速度が、初期形式での呼吸速度と異なる。
【００５６】
或る応用に対して、前記所望の形式における２又はそれより多いフェーズが、前記時間的に変化する刺激を発生する前に多重フェーズ・バイオリズム活動に一般的に含まれない少なくとも１つの呼吸フェーズを含み、そして前記メモリが、その中に、前記少なくとも１つの呼吸フェーズの指示を格納するよう適合されている。
【００５７】
或る応用に対して、前記所望の形式における２又はそれより多いフェーズが、息こらえ（ｂｒｅａｔｈ  ｈｏｌｄｉｎｇ）及び呼気後休止（ｐｏｓｔ−ｅｘｐｉｒａｔｏｒｙ  ｐａｕｓｉｎｇ）から成るリストから選択された少なくとも１つの呼吸フェーズを含み、そして前記メモリが、その中に、前記の選択された呼吸フェーズの指示を格納するよう適合されている。
【００５８】
或る応用に対して、前記装置は、対象者に適用され且つ吸気及び呼気から選択された呼吸フェーズ中に前記対象者の空気の流れ（ａｉｒｆｌｏｗ）に抵抗するよう適合された抵抗性負荷を含む。或る応用に対して、前記装置は、対象者に適用され且つ前記刺激ユニットと一緒に動作するよう適合された機械的換気装置を含む。
【００５９】
一実施形態においては、前記初期形式及び所望の形式における２又はそれより多いフェーズが、吸気及び呼気を含み、そして前記メモリが、その中に、前記初期形式及び指示を格納するよう適合されており、そして前記所望の形式における吸気の持続時間の呼気の持続時間に対する比（Ｉ：Ｅ比）が、前記初期形式におけるＩ：Ｅ比より小さい。或る応用に対して、前記メモリが、その中に、前記初期形式及び指示を格納するよう適合されており、そして前記所望の形式におけるＩ：Ｅ比が、約１：０．５と１：４との間である。
【００６０】
一実施形態においては、前記装置は、入力を対象者から受け取るよう適合されたユーザ・インターフェースを含み、そして前記装置が、前記入力に応答して、前記初期形式と前記所望の形式の指示とを前記メモリに格納するよう適合されている。或る応用に対して、前記ユーザ・インターフェースが、前記所望の形式の指示において２又はそれより多いフェーズの持続時間の指示を受け取るよう適合されている。
【００６１】
或る応用に対して、前記ユーザ・インターフェースが、前記初期形式における２又はそれより多いフェーズのそれぞれの持続時間にわたり動向の指示を受け取るよう適合されている。
【００６２】
或る応用に対して、前記ユーザ・インターフェースが、前記初期形式における２又はそれより多いフェーズの持続時間の指示を受け取るよう適合されている。代替として又は追加として、前記ユーザ・インターフェースが、前記所望の形式における２又はそれより多いフェーズの持続時間の指示を受け取るよう適合されている。
【００６３】
一実施形態においては、前記ユーザ・インターフェースが、前記初期形式の指示において複数のフェーズのうちの少なくとも１つのフェーズの開始指示と終了指示との間の経過時間を測定するよう適合されている。或る応用に対して、前記開始指示及び終了指示が、前記対象者の呼吸作用のそれぞれの可聴指示を含み、そして前記ユーザ・インターフェースが、前記の可聴の開始指示及び終了指示を検知するよう適合されている。或る応用に対して、前記ユーザ・インターフェースが、前記開始指示及び終了指示を前記対象者からそれぞれの時間に受け取り且つ当該開始及び終了指示に応答して経過時間を測定するよう適合されている。
【００６４】
また、本発明の一実施形態に従って、対象者に使用する方法であって、
多重フェーズ・バイオリズム活動パターンの初期形式及び当該多重フェーズ・バイオリズム活動パターンの所望の形式の指示を格納するステップであって、
前記所望の形式における２つのフェーズの持続時間の比が、前記初期形式におけるそれぞれのフェーズの持続時間の比と異なり、
前記多重フェーズ・バイオリズム活動パターンの少なくとも１つのフェーズが、対象者の多重フェーズ・バイオリズム活動のそれぞれのフェーズに対応する、前記格納するステップと、
（ａ）時間的に変化する刺激の発生中に多重フェーズバイオリズム活動の進行中の測定に実質的に応答することをしないで、且つ（ｂ）前記初期形式とバイオリズム活動を変更するよう前記対象者を案内する前記所望の形式との中間の一連の移行形式により特徴付けられる多重フェーズ・パターンを有する前記時間的に変化する刺激を発生するステップと
を含む方法が提供される。
【００６５】
更に、本発明の一実施形態に従って、プログラム命令が格納されているコンピュータ可読媒体を含むコンピュータ・ソフトウエア製品であって、
命令がコンピュータにより読み取られたとき、当該命令が、前記コンピュータに、
（ａ）時間的に変化する刺激の発生中に多重フェーズ・バイオリズム活動の進行中の測定に実質的に応答することをしないで、且つ（ｂ）前記初期形式とバイオリズム活動を変更するよう前記対象者を案内する前記所望の形式との中間の一連の移行形式により特徴付けられる多重フェーズ・パターンを有する前記時間的に変化する刺激を発生させ、
前記時間的に変化する刺激の前記多重フェーズ・バイオリズム活動パターンの少なくとも１つのフェーズが、前記多重フェーズ・バイオリズム活動のそれぞれのフェーズに対応し、
前記所望の形式における２つのフェーズの持続時間の比が、前記初期形式におけるそれぞれのフェーズの持続時間の比と異なる
コンピュータ・ソフトウエア製品が提供される。
【００６６】
更になお、本発明の一実施形態に従って、対象者の多重フェーズ・バイオリズム活動を変更するよう前記対象者を案内するための出力刺激に対応するデータの配列を含むデータ記憶媒体であって、
前記刺激が、多重フェーズ・バイオリズム活動パターンの初期形式と前記多重フェーズ・バイオリズム活動パターンの所望の形式との中間の一連の移行形式により特徴付けられる時間変動する多重フェーズ・パターンを含み、
前記時間変動する多重フェーズ・パターンのうちの少なくとも１つの時間変動する多重フェーズ・パターンが、前記多重フェーズ・バイオリズム活動のそれぞれのフェーズに対応し、
前記所望の形式における２つのフェーズの持続時間の比が、前記初期形式におけるそれぞれのフェーズの持続時間の比と異なる
データ記憶媒体が提供される。
【００６７】
或る応用に対して、前記出力刺激が、音楽を含む。或る応用に対して、前記出力刺激が、イメージ、英数字テキスト、音声、音声パターン、動的グラフィカル・パターン、及び視覚的キューからなるリストから選択された少なくとも１つの刺激を含む。或る応用に対して、前記出力刺激が、対象者の身体の一部への印加のための圧力を含む。或る応用に対して、前記出力刺激が、対象者の身体の一部への付与のためのマッサージを含む。或る応用に対して、前記出力刺激が、対象者の身体の一部への付与のための機械的エネルギを含む。或る応用に対して、前記出力刺激が、対象者の身体の一部への印加のための電気的エネルギを含む。
【００６８】
また更に、本発明の一実施形態に従って、対象者に使用のための装置であって、
データの複数の配列を備えるデータ記憶媒体を含み、
各配列が、対象者の多重フェーズ・バイオリズム活動を変更するよう前記対象者を案内するための出力刺激に対応し、
前記刺激が、多重フェーズ・バイオリズム活動パターンの初期形式と前記多重フェーズ・バイオリズム活動パターンの所望の形式との中間の一連の移行形式により特徴付けられる時間変動する多重フェーズ・パターンを含み、
前記時間変動する多重フェーズ・パターンのうちの少なくとも１つの時間変動する多重フェーズ・パターンが、前記多重フェーズ・バイオリズム活動のそれぞれのフェーズに対応し、
前記所望の形式における２つのフェーズの持続時間の比が、前記初期形式におけるそれぞれのフェーズの持続時間の比と異なり、
選択された配列に対応する前記出力刺激を発生するよう適合された刺激ユニットを含む、装置が提供される。
【００６９】
本発明は、図面と共に、その実施形態の以下の詳細な説明からより完全に理解されるであろう。
【００７０】
［実施形態の詳細な説明］
図１は、本発明の一実施形態に従った、ユーザ３０のバイオリズム活動の有益な変更のための動的メトロノーム２０の構成要素を示す概略的ブロック図である。メトロノーム２０は、ユーザ・インターフェース（ＵＩ）３２、練習定義器（ｅｘｅｒｃｉｓｅ  ｄｅｆｉｎｅｒ）３４、ドライバ３６、及びバイオリズム活動変更器（ｂｉｏｒｈｙｔｈｍｉｃ  ａｃｔｉｖｉｔｙ  ｍｏｄｉｆｉｅｒ）３８を備える。練習定義器３４は、ユーザが、図６を参照して以下で説明するように、新しい練習ルーチンを定義し又は既存のルーチンを編集するのを可能にする。ユーザがメトロノーム２０を作動して練習ルーチンを実行させるとき、ドライバ３６は、図７を参照して以下で説明されるように、選択された練習ルーチンに基づいて練習パターン・ファイルを生成する。代替として、ドライバ３６は、前に生成され且つ格納されている練習パターン・ファイルを検索する。練習パターン・ファイルに基づいて、ドライバ３６は、データの時間的シーケンスを発生し、そして、図８を参照して以下で説明されるように、当該シーケンスを用いて、バイオリズム活動変更器３８を駆動して、バイオリズム活動を変更するようにユーザへの出力信号を発生する。
【００７１】
出力信号は、典型的には、ユーザが新しい呼吸パターンを始めるよう訓練することにより、ユーザ３０の呼吸作用を変更しようと意図する。例えば、出力信号は、吸気の呼気に対する比（Ｉ：Ｅ比）を低減させるように吸気及び呼気のタイミングを変えるようユーザに指令する。幾らかの介入に関して、Ｉ：Ｅ比を、１：１又は１：２の一般的に事前介入のレベルから例えば１：４に向けて低減させることが望ましい。幾らかの介入に関して、新しい呼吸パターンは、一般的には正常で指示の無い呼吸パターンには含まれない追加のフェーズを含む。例えば、正常な呼吸は、２つのフェーズ、即ち、吸気と呼気とを含む。メトロノーム２０は、息こらえ及び／又は呼気後休止のフェーズを追加するようユーザ３０に指令するべく出力信号を設定（ｃｏｎｆｉｇｕｒｅ）し得る。
【００７２】
図２は、本発明の一実施形態に従って、メトロノーム２０を専用スタンドアローン装置５０として実現することを示す概略的絵画的図である。或る応用に対して、専用スタンドアローン装置５０は、携帯型及び／又はバッテリ動作型である。専用スタンドアローン装置５０は、専用のハードウエア・ロジックで、又はハードウエア要素とソフトウエア要素との組み合わせを用いて、実現され得る。この実施形態においては、ＵＩ３２は、典型的には、ディスプレイ・スクリーン５２と、ボタン、キー又はノブのような幾つかの入力構成要素５４とを備える。例えば、入力構成要素５４は、オン／オフ、エンター（入力）、アップ（上）、ダウン（下）、及び設定のそれぞれボタンを備え得る。或る応用に対して、メトロノーム２０は、例えば、設定ボタンを用いることによるように、デフォルト値を設定するオプションを提供する。例えば、ユーザは、以下で説明するような、多数のフェーズ、又は音量に対してデフォルト・パラメータを設定し得る。
【００７３】
図３は、本発明の一実施形態に従って、メトロノーム２０を汎用コンピュータ６０上のソフトウエアとして実現することを示す概略的絵画的図である。コンピュータ６０は、ソフトウエアでプログラミングされて、本明細書で説明する機能を実行する。ソフトウエアは、例えば、ネットワークを介して、電子的形式でコンピュータへダウンロードされ得るか、又はそれは、代替として、磁気媒体、又は光学的媒体、又は他の不揮発性メモリ、例えばＣＤ−ＲＯＭのような有形媒体でコンピュータに供給され得る。この実施形態においては、ＵＩ３２は、典型的には、キーボード６２及びモニタ６４を備える。或る応用に対して、メトロノーム２０の全て又は一部は、ワイド・エリア・ネットワーク、典型的にはインターネットを介してユーザ３０にアクセス可能なウェブ・サービスとして実行され得る。汎用コンピュータ６０が図３にパーソナル・コンピュータとして示されているが、これは、例示であって限定するものではなく、そして汎用コンピュータ６０は、ハンドヘルド計算装置のような他の計算装置を備え得る。
【００７４】
図４Ａ、図４Ｂ及び図Ｃは、本発明の一実施形態に従った、幾つかのバイオリズム活動信号の概略的説明図である。これらのバイオリズム活動信号は、メトロノーム２０が呼吸作用を変更するよう適合されるとき、ユーザ３０の典型的な胸囲を表す。図４Ａにおいて、線７０は、２フェーズ呼吸練習中の活動信号を表す。吸気がフェーズＩ中に生じ、そして呼気がフェーズＩＩ中に生じる。図４Ｂにおいて、線７２は、３フェーズ呼吸練習中の活動信号を表す。吸気及び呼気に加えて、当該練習は、フーズＩＩＩ中の息こらえを含む。図４Ｃにおいて、線７４は、４フェーズ呼吸練習中の活動信号を表す。この活動信号は更に、フェーズＩＶを含み、そのフェーズＩＶ中に呼気後休止が生じる。本明細書で用いられるように、「バイオリズム・パターン」は、２又はそれより多いフェーズを有し、そして「バイオリズム活動」は、バイオリズム・パターンのシーケンスを備える。
【００７５】
図５は、本発明の一実施形態に従った、呼吸練習中のバイオリズム・パターン８０の変換を示す概略図である。メトロノーム２０は、多重フェーズの律動的出力信号を発生し且つ動的に変更するよう適合されており、それにより開始バイオリズム・パターン８０を所望の終了パターン８０へ少なくとも１つの中間のバイオリズム・パターン８４を経て徐々に変更するようユーザ３０に指令する。図５に示される例示的変換において、バイオリズム・パターンは、３つのフェーズ８６、８８及び９０を含む。幾らかの介入に対して、メトロノーム２０は、フェーズを様々な量だけ変更するよう、及び／又はフェーズの一部分のみを変更するよう、ユーザ３０に指令する。図面に示される例においては、メトロノームは、フェーズ８６の初期持続時間を維持し、フェーズ８８の持続時間を第１の量だけ増大し、そしてフェーズ９０の持続時間を第１の量より大きい第２の量だけ増大するようユーザに指令する。
【００７６】
或る応用に対して、開始バイオリズム・パターン８０、中間バイオリズム・パターン８４及び／又は終了バイオリズム・パターン８２のフェーズ数は、ユーザの自然バイオリズム・パターンのフェーズ数より大きいか、又はそれより小さい。例えば、ユーザの自然バイオリズム・パターンは４つのフェーズを有し得るが、一方、開始バイオリズム・パターン８０、中間バイオリズム・パターン８４及び／又は終了バイオリズム・パターン８２は、２つのフェーズのみを有する。代替として又は追加として、開始バイオリズム・パターン８０、中間バイオリズム・パターン８４及び／又は終了バイオリズム・パターン８２の２又はそれより多いフェーズは、ユーザの自然バイオリズム・パターンの単一のフェーズに対応する。例えば、開始バイオリズム・パターン８０、中間バイオリズム・パターン８４及び／又は終了バイオリズム・パターン８２は、ユーザの自然バイオリズム・パターンの単一の吸気フェーズに対応する２つの吸気サブフェーズを備え得る。
【００７７】
本発明の一実施形態において、ユーザ３０がメトロノーム２０をオンにするとき、当該メトロノーム２０は、新しい練習ルーチンを定義するか、又は記憶されたライブラリから１つのルーチンを選定するかのいずれかのオプションをユーザに与える。典型的には、ユーザが所定の期間内、例えば、１分内に選択を行わない場合、メトロノーム２０は自動的にパワー・ダウンする。
【００７８】
図６は、本発明の一実施形態に従った新しい練習ルーチンを定義する方法を説明するフロー・チャートである。新しい練習ルーチンを定義することを始めるため、タイプ選択ステップ１００で、ユーザ３０は、当該ルーチンが「終了（ｅｎｄ）」型か又は「動向（ｔｒｅｎｄ）」型かを選択する。「終了」型ルーチンは、以下で説明されるように、ユーザが開始及び終了のバイオリズム・パターンのパラメータを定義することを可能にし、一方、「動向」型ルーチンは、以下で説明されるように、ユーザが開始バイオリズム・パターンのパラメータ、及び開始バイオリズム・パターンの各フェーズの動向を定義することを可能にする。ユーザ３０は、ＵＩ３２を用いて、例えば、オプションをスクロールするためのアップ・ボタン及びダウン・ボタン、及び選択をするためのエンター・ボタンを用いて、この選択、並びに他の選択を行う。
【００７９】
終了／動向チェック・ステップ１０２において、メトロノーム２０は、ユーザ３０がどの型のルーチンを選択したかを検査する。ユーザが「終了」型ルーチンを選択した場合、開始フェーズ数選択ステップ１０４で、メトロノーム２０は、ユーザが開始バイオリズム・パターンの所望のフェーズ数を入力することを促す。終了フェーズ数選択ステップ１０６において、メトロノーム２０はまた、終了バイオリズム・パターンの所望のフェーズ数を入力することを促す。或る応用に対して、メトロノーム２０は、開始及び終了のバイオリズム・パターンに対して異なるフェーズ数を選択するオプションを提供しないで、従って、ステップ１０４及び１０６が組み合わされて、開始及び終了のバイオリズム・パターンの両方に対して唯１つのフェーズ数を入力することを促す。
【００８０】
開始パラメータ設定ステップ１０８において、ユーザ３０は、開始バイオリズム・パターンの各フェーズのパラメータを設定する。ユーザは、典型的にであるがしかし必ずしもではなく、これらのパラメータをユーザの現在の自発的呼吸パターンに基づいて、即ち、ルーチンが現在定義されつつある処置の前に設定しようと試みる。（ユーザはまた、例えば、ユーザの自発呼吸パターンより早いタイミングを示す開始パラメータを任意に設定することができるであろう。）或る応用に対して、ユーザは、ＵＩ３２の数値入力機構を用いてそれぞれの適用可能なフェーズの持続時間（典型的には秒の単位で）を入力する。ユーザは、典型的には、ユーザの自発呼吸パターンで生じないフェーズ、例えば、息こらえ及び／又は呼気後休止に対してゼロを入力する。代替として、ユーザは、彼又は彼女の呼吸パターンの自己観察中に各フェーズの開始及び終了をリアルタイムで指示することにより（例えば、１又はそれより多いボタンを押すことにより）各適用可能なフェーズの持続時間を指示する。メトロノームは、フェーズの選択された持続時間を決定するため、例えば、内部クロックを用いて、開始指示と終了指示との間の経過時間を測定する。或る応用に対して、メトロノーム２０は、ステップ１０８中にクリック音を生成して、ユーザがフェーズを定義するのを助ける。更に代替として、ＵＩ３２はマイクロフォンを備え、当該マイクロフォンは、ユーザの自発呼吸パターンを検知し、そしてそのフェーズのタイミングをリアルタイムで決定する。（メトロノーム２０が典型的には、そのような呼吸作用の検知を、練習ルーチンの定義中にのみ実行し、練習のためのメトロノームの使用中には実行しないことに注目されたい。）開始パラメータを指示する他の方法は、本特許出願を読めば、者に明らかであろう。
【００８１】
終了パラメータ設定ステップ１１０において、ユーザ３０は、終了バイオリズム・パターンの各フェーズのパラメータを設定する。例えば、ユーザは、メトロノーム２０を用いて、メトロノーム２０に付随の命令マニュアル、健康管理提供者又は練習インストラクタの勧め、又は個人的経験に基づいてこれらのパラメータを決定し得る。ステップ１０８を参照して説明されるように、開始パラメータを設定する技術を、終了パラメータの設定のため用い得る。説明したリアルタイム技術を用いるため、ユーザは、所望の終了バイオリズム・パターンを模倣するよう、彼又は彼女の呼吸作用の自発的制御を簡潔に行う。
【００８２】
或る応用に対して、ステップ１０８及び／又は１１０において、ユーザは、図８を参照して以下で説明されるように、練習中の各フェーズのため用いられるべき統合された機器のタイプを選定するオプションを与えられる。代替として、又は追加として、ユーザは、どの「歌」、即ち音楽フェーズの組み合わせを練習中に用いるべきかを選択するためのオプションを与えられる。そのような選択は、典型的には、練習ルーチンの定義中か、又は練習のためメトロノームの使用中かのいずれかに行われ得る。或る応用に対して、ユーザは、設定ボタンを用いて選択を行う。
【００８３】
或る応用に対して、ステップ１０８及び１１０でユーザは練習ルーチンを定義しつつある一方、メトロノーム２０は、現在定義されているフェーズに対してユーザが選択したパラメータを示す刺激を連続的に出力する。刺激を出力するため、メトロノーム２０は、図８を参照して以下で説明されるように、ドライバ３６を活動状態にして、バイオリズム活動変更器３８を駆動する。この瞬間的フィードバックは、一般的に、ユーザがパラメータを定義するのを助ける。
【００８４】
変更期間持続時間設定ステップ１１２において、ユーザ３０は、ＵＩ３２を用いて、当該期間の持続時間を設定する。なお、当該期間にわたり、メトロノームは、定義された練習ルーチンを用いる練習セッション中に出力信号を動的に変えて、開始バイオリズム・パターンから終了バイオリズム・パターンへの変換を駆動する。ルーチン持続時間設定ステップ１１４において、ユーザがまた練習ルーチンの合計持続時間を設定することは任意である。この合計持続時間は、変更期間持続時間より少なくない時間でなければならない。合計持続時間が変更期間持続時間より大きい場合、メトロノームは、練習セッション中で、終了バイオリズム・パターンを達成した後で、合計持続時間と変更期間との差に等しい期間の間終了バイオリズム・パターンを維持する。
【００８５】
次いで、ルーチン・セーブ・ステップ１１６において、メトロノーム２０は、定義された練習ルーチンをセーブする。メトロノーム２０は、典型的には、以下で説明されるように、新しく定義された練習ルーチンを用いて、練習セッションを直ちに開始（ｌａｕｎｃｈ）するオプションをユーザ３０に提供する。
【００８６】
一方、チェック・ステップ１０２において、ユーザ３０が「動向」型ルーチンを選択した場合、開始フェーズ数選択ステップ１１８において、メトロノーム２０は、開始バイオリズム・パターンの所望のフェーズ数を入力するようユーザに促す。開始パラメータ設定ステップ１２０において、ユーザ３０は、ステップ１０８を参照して上記で説明した技術を用いて、開始バイオリズム・パターンの各フェーズのパラメータを設定する。「終了」型ルーチンに関して上記で説明した終了バイオリズム・パターンのパラメータの設定の代わりに、動向設定ステップ１２２において、ユーザは、それぞれの開始フェーズの動向を設定する。或る応用に対して、動向は、例えば、各呼吸作用サイクル中に、又は所与の期間中、例えば毎分に、各フェーズを或る一定のパーセンテージだけ長くするため、各開始フェーズのそれぞれの持続時間のパーセンテージ変化を指示する。同じパーセンテージ変化が、開始フェーズのそれぞれに適用されることは任意である。幾らかの介入に対して、ユーザは、所与の期間中、例えば、毎分に、各フェーズを或る一定の秒数だけ長くするため、各開始フェーズのそれぞれの持続時間の絶対的変化を指示する。ルーチン持続時間設定ステップ１２４において、ユーザ３０は、ルーチンの合計持続時間を設定する。この方法はステップ１１６まで進み、ステップ１１６で、メトロノーム２０は当該ルーチンをセーブする。
【００８７】
代替として、練習定義器３４は、ユーザに、練習ルーチンを定義するための他の方法を提供する。例えば、ユーザは、上記で説明した技術の１つを用いて、開始バイオリズム・パターンを選択し得る。次いで、ユーザは、例えば、メニューから、終了バイオリズム・パターンで達成すべき所望の改善の指標を選択する。例えば、ユーザは、（ａ）開始呼吸率の終了呼吸率に対する所望の比、（ｂ）吸気の呼気に対する所望の終了比（Ｉ：Ｅ比）、及び／又は（ｃ）Ｉ：Ｅ比の所望の改善を選択し得る。ユーザが所望の及び／又は適切な終了バイオリズム・パターンを選択するのを可能にする追加の技術は、本特許出願を読めば、当業者に明らかであろう。
【００８８】
本発明の一実施形態においては、メトロノーム２０のＵＩ３２は、各練習のキー・パラメータを含む、使用可能な練習のメニュー（典型的にはスクロール可能である。）をユーザに提供する。使用可能な練習は、図６を参照して上記で説明したように、ユーザにより定義され、又は事前プログラムされ、さもなければ、装置に、例えば、通信ネットワークを介してロードされ得る。次の表は、使用可能練習の典型的なメニューの一部を示す。
【００８９】
【表２】
2005535378.tif 000004
【００９０】
このメニューでは、開始及び終了パターンに対して提供される値の数は、練習のフェーズ数に対応し、そして「変更」の列欄は、図６のステップ１１２を参照して上記で説明したような変更期間の長さを含む。
【００９１】
本発明の一実施形態においては、ユーザ３０が練習ルーチンを選択するとき、ドライバ３６は、練習パターン・ファイルを、選択された練習ルーチンに基づいて生成する。代替として、ドライバ３６は、前に生成し、選択された練習ルーチンのため格納された練習パターン・ファイルを検索する。練習パターン・ファイルを生成するため、ドライバ３６は、１又はそれより多い線形又は非線形アルゴリズムを用いる。練習パターン・ファイルは、典型的には、練習期間中に変わる一連のバイオリズム・パターンの各バイオリズム・パターンに関する記録を有する。最初及び最後の記録は、開始及び終了のバイオリズム・パターンのそれぞれについての情報を保持し、そして、残りの記録は、それぞれの中間のバイオリズム・パターンについての情報を保持する。各記録は、バイオリズム・パターンの各フェーズに関するフェーズ値を有する。なお、そのフェーズ値は、フェーズの持続時間を示す。開始バイオリズム・パターンと終了バイオリズム・パターンとのフェーズ数が異なるとき、各記録は、大きい方のフェーズ数に等しい或る数のフェーズ値を有する（典型的には、所与の記録に関して定義されないフェーズは、ゼロにより表される。）。
【００９２】
本発明の一実施形態においては、ドライバ３６は、図６を参照して上記で説明したように、練習パターン・ファイルの各記録のフェーズ値を「終了」型ルーチンに基づいて計算する次のアルゴリズムを用いる。各記録は、Ｎ個のフェーズ値１…Ｎを有する。但し、Ｎは、開始バイオリズム・パターン又は終了バイオリズム・パターンのうち大きい方のフェーズ数を有するバイオリズム・パターンのフェーズ数に等しい。各バイオリズム・パターンｊの合計持続時間Ｔｊは、次のように、当該バイオリズム・パターンｊのフェーズの持続時間Ｔｊ［１］…Ｔｊ［Ｎ］の和に等しい。
【００９３】
【数１】
2005535378.tif 000005
【００９４】
次の式は、練習パターン・ファイルにおいて再生されるべき記録数を与える。
ｎ＝ＩＮＴ［（持続時間）／（（Ｔｓｔａｒｔ＋Ｔｅｎｄ）／２）］
ここで、ＩＮＴは整数切り詰め関数（ｉｎｔｅｇｅｒ  ｔｒｕｎｃａｔｉｏｎ  ｆｕｎｃｔｉｏｎ）であり、「持続時間」は、図６を参照して上記で説明した変更期間の持続時間であり、Ｔｓｔａｒｔ及びＴｅｎｄは、開始及び終了のバイオリズム・パターンのそれぞれの合計持続時間である。
【００９５】
バイオリズム・パターンｊの任意の所与のフェーズｋの持続時間は、次の式により与えられる。
Ｔｊ［ｋ］＝Ｔｓｔａｒｔ［ｋ］＋ｊ×ΔＴ［ｋ］
ここで、
ΔＴ［ｋ］＝（Ｔｅｎｄ［ｋ］−Ｔｓｔａｒｔ［ｋ］）／ｎ
例えば、開始バイオリズム・パターン及び終了バイオリズム・パターンは、それぞれ、２つのフェーズを持ち得る。開始バイオリズム・パターンのフェーズ（複数）の持続時間は、それぞれ１秒及び２秒であり得て、そして終了バイオリズム・パターンのフェーズ（複数）の持続時間は、それぞれ２秒及び６秒であり得る。変更期間の持続時間は、５５５秒であり得る。従って、
Ｔｓｔａｒｔ＝１秒＋２秒＝３秒
Ｔｅｎｄ＝２秒＋６秒＝８秒
ｎ＝ＩＮＴ（５５５／（（３＋８）／２））＝ＩＮＴ（１００．９）＝１００
ΔＴ［１］＝（２−１）／１００＝０．０１秒
ΔＴ［２］＝（６−２）／１００＝０．０４秒
こうして、第１のフェーズの一連の持続時間は、１．００，１．０１，１．０２，…，１．９９，２．００（１０１項）であり、そして第２のフェーズの一連の持続時間は、２．００，２．０４，２．０８，…，５．９６，６．００（１０１項）である。変更期間の実際の持続時間は、１００×（３＋８）／２＝５５０秒であり、それは、プログラムされた５５５秒より僅かに短い。出力信号が音楽を有するとき、記録の数を整数値に切り詰めることが、パターンの中間で音楽を余りに早く終えてしまうことを防止する。なお、パターンの中間で音楽を余りに早く終えてしまうことは不快に聞こえるものである。
【００９６】
典型的には、開始バイオリズム・パターンに含まれるが、しかし終了バイオリズム・パターンには含まれない各フェーズｋに対して、ドライバ３６は、Ｔｅｎｄ［ｋ］＝０と設定する。同様に、終了バイオリズム・パターンに含まれるが、しかし開始バイオリズム・パターンに含まれない各フェーズｋに対して、ドライバ３６は、Ｔｓｔａｒｔ［ｋ］＝０と設定する。
【００９７】
代替として、本特許出願を読めば、当業者に明らかであろう技術を用いて、ドライバ３６は、等比級数又は別の級数を用いるアルゴリズムにアクセスすることにより様々な持続時間を決定する。更なる代替として、ドライバ３６は、バイオリズム・パターンの速度（ｒａｔｅ）、即ち、持続時間の逆数を変えるアルゴリズムを用いる。
【００９８】
本発明の一実施形態においては、ドライバ３６は、図６を参照して上記で説明したように、練習パターン・ファイルの各記録のフェーズ値を「動向」型ルーチンに基づいて計算する次のアルゴリズムを用いる。ルーチンの持続時間中に、ドライバ３６は、次の式を用いて、各バイオリズム・パターンｊの各フェーズｋの速度（即ち、持続時間の逆数）を計算する。
１／Ｔｊ［ｋ］＝（１−ｅ［ｋ］）×（１／Ｔｊ−１［ｋ］）
ここで、ｅ［ｋ］は、フェーズｋのバイオリズム・パターン当たりの選択された変化であり、そして１／Ｔｊはバイオリズム・パターンｊの速度である。
【００９９】
ここで、本発明の一実施形態に従った、バイオリズム・パターンのフェーズの持続時間の例示的動的変化を示すグラフである図７に言及する。線１５０は、一連のバイオリズム・パターンの単一のフェーズの持続時間の例示的変化であって、開始バイオリズム・パターンで始まり、中間のバイオリズム・パターンを通って遷移し、終了バイオリズム・パターンで終わる例示的変化を示す。
【０１００】
ここで、本発明の一実施形態に従った、ドライバ３６及びバイオリズム活動変更器３８の構成要素を示す概略的ブロック図である図８に言及する。ドライバ３６は、練習メモリ１６０、及びパターン・コード・メモリ１６２を備える。練習メモリ１６０は、（ａ）図７を参照して上記で説明したように生成された練習パターン・ファイルを格納する練習パターン・ファイル・メモリ１６４と、（ｂ）図６を参照して上記で説明したように生成されるか、さもなければメトロノーム２０に事前プログラムされた又はロードされた練習ルーチンを格納する練習ルーチン・メモリ１６６とを備える。
【０１０１】
ドライバ３６は更に、シーケンサ１６８を備え、当該シーケンサ１６８は、ドライバ３６による練習ルーチンの実行中に、時間的コードを発生し、そして当該時間的コードをバイオリズム活動変更器３８へ通す。シーケンサ１６８は、以下で説明するように、練習パターン・ファイルを練習パターン・ファイル・メモリ１６４から、またパターン・コードをパターン・コード・メモリ１６２から検索し、そして練習パターン・ファイルからの情報をパターン・コードと組み合わせ、それにより時間的コードを発生する。シーケンサ１６８は、典型的には、シーケンサ１６８が時間的コードを発生するにつれ、練習ルーチンの開始の際にか又は練習ルーチン全体にわたってかのいずれかでそのような検索を実行する。
【０１０２】
出力信号が音楽を有する応用に対して、パターン・コードは、選択された練習パターン・ファイルの各バイオリズム・パターンの各フェーズに対して、合成された楽器の音符（ｎｏｔｅｓ）及び／又はタイプのような音楽情報を示す要素を含む。例えば、２フェーズの練習パターンは、第１のフェーズ及び第２のフェーズのそれぞれに対応する２つの合成された楽器音Ａ及びＢを有し得る。パターン・コードは構造Ａ１、Ｂ１、Ａ２、Ｂ２、Ａ３、Ｂ３、…を有し、ここで、Ａｉ及びＢｉはそれぞれ、１又はそれより多い合成された楽器音と関連した一連の音符を表す。Ａｉ及びＢｉと関連した楽器音は、同じか、又は互いに異なり得る。
【０１０３】
２フェーズの例を続けると、Ａｉは、合成されたフルート音を用いて発生されるべき一連の音符を表し、一方、Ｂｉは、合成されたトランペット及びヴァイオリン音を用いて、発生されるべき一連の音符を表し得る。練習パターンは、フェーズ２の４秒が続くフェーズ１の２秒を有するバイオリズム・パターンを含み、そしてＡ１が、一連の２フルート音符を表し得て、一方、Ｂ１が、１つのヴァイオリン音符が続く一連の２トランペット音符を表す。シーケンサ１６８は、バイオリズム・パターンのフェーズ１及びフェーズ２からの情報をパターン・コードのＡ１及びＡ２のそれぞれと組み合わせて、時間的コードを生成する。時間的コードは、２秒後にシリーズＡ１に対するオフ信号が続くシリーズＡ１に対するオン信号と、４秒後にシリーズＢ１に対するオフ信号が続くシリーズＢ１に対するオン信号等々を含むであろう。
【０１０４】
再び図８に言及する。バイオリズム活動変更器３８は、パターン発生器１７０及び刺激発生器１７２を備える。パターン発生器１７０は、時間的コードを、刺激発生器１７２を駆動するための信号に変換する。或る応用に対して、パターン発生器１７０は、音シンセサイザを備え、そして刺激発生器１７２は、１又はそれより多いスピーカ４０を備え（図２、図３及び図９）、そのケースにおいては、パターン発生器１７０は、音楽の時間的コードを、音を生成するためスピーカ４０を駆動する電流に変換する。
【０１０５】
代替として、刺激発生器１７２は、次のものを備える。即ち、
・ディジタル・ディスプレイ・スクリーン及び／又は１又はそれより多いキュー・ライトを含み得る、ディスプレイのような視覚的刺激器。ディスプレイ・スクリーン５２（図２）又はモニタ６４（図３）は、視覚的表示器として機能するよう構成され得る。
・或る応用に対してユーザ３０の腕１７６をマッサージするよう構成されている、当該ユーザ３０の腕１７６上に取り付けられた圧力カフス（ｐｒｅｓｓｕｒｅ  ｃｕｆｆ）１７４（図２）のような圧力アプリケータ（ｐｒｅｓｓｕｒｅ  ａｐｐｌｉｃａｔｏｒ）。パターン・コードは、オン及びオフの信号を含み、それらの信号を、バイオリズム活動変更器３８は、電気信号に変換して、圧力カフス１７４を膨張及び収縮させるポンプを駆動する（ポンプは図示せず。）。
・機械的刺激器、及び／又は
・電気的刺激器。
【０１０６】
本発明の一実施形態においては、ユーザ刺激は、ゲームの形式であり、そして、ゲームのパラメータは、ゲームの実行がバイオリズム活動のパラメータを変更するようユーザを誘導するように変えられる。
【０１０７】
ここで、本発明の一実施形態に従った、電話回線網２００を介したメトロノーム２０の実行の概略的説明図である図９に言及する。この実施形態においては、刺激発生器１７２は、典型的には、通常の有線又は無線の電話機２０４のスピーカ２０２を備え、そしてＵＩ３２は、当該電話機２０４のキーパッド２０６を備える。メトロノーム２０の残りの構成要素は、電話会社の局、又は別のサービス・プロバイダにおけるように、ユーザ３０から遠隔で実行される。電話機２０４は、そのような遠隔のメトロノーム機能（ｍｅｔｒｏｎｏｍｅ  ｆｕｎｃｔｉｏｎａｌｉｔｙ）２１０に、無線で、又は電話ワイヤ、典型的には少なくとも１つの電話スイッチを介して接続される。代替として、ＵＩ３２は、図６を参照して上記で説明したように、電話機２０４のマイクロフォン２０８と、ユーザ３０の音声コマンドを解釈するため及び／又はメトロノーム２０をプログラミングするためユーザ３０の呼吸作用を検知するための機能とを備える。
【０１０８】
本発明の一実施形態において、メトロノーム２０は、デュアル・トーン・マルチフリーケンシー（ＤＴＭＦ）信号を用いて、電話回線網２００を介して実行され、当該デュアル・トーン・マルチフリーケンシー（ＤＴＭＦ）信号は、キーパッド２０６を用いてユーザにより発生され、そして遠隔のメトロノーム機能２１０により復号される。次の表は、そのようなシステムの例示的実行を記載する。表に与えられる詳細は、説明の目的のみのためであることが理解されるであろうし、そして、多数の代替のアプローチが、本特許出願を読めば、当業者には明らかであろう。
【０１０９】
【表３】
2005535378.tif 000006
【０１１０】
【表４】
2005535378.tif 000007
【０１１１】
【表５】
2005535378.tif 000008
【０１１２】
【表６】
2005535378.tif 000009
【０１１３】
図２、図３及び図９に再び言及する。本発明の一実施形態においては、メトロノーム２０は、（ａ）音楽を有する練習出力信号であって、複数のそれぞれの事前定義された練習ルーチンを用いて、バイオリズム活動変更器３８により発生される練習出力信号のライブラリと、（ｂ）当該ライブラリに格納されている音楽を再生する手段とを備える。或る応用に対して、メトロノーム２０は、コンパクト・ディスク（ＣＤ）プレーヤ又はテープ・プレーヤのような通常の音楽プレーヤ（図２に示される携帯型形態）を備え、そして音楽は、ＣＤ又はオーディオ・テープのような不揮発性媒体に記憶されている。代替として、メトロノーム２０は、コンピュータ６０（図３）又はメトロノーム機能２１０（図９）上で実行される通常のオーディオ・ソフトウエアを備え、その場合、音楽は、ＣＤ又はＤＶＤのような不揮発性媒体に記憶されているか、又はインターネットを介してダウンロードされた後でメモリに格納されるかのいずれかである。或る応用に対して、音楽は、楽器用ディジタル・インターフェース（ＭＩＤＩ）プロトコルを用いて表され、そしてコンピュータ６０又はメトロノーム機能２１０上のソフトウエアは、ＭＩＤＩ情報を解釈して、音楽を合成（シンセサイズ）する。ライブラリの中のそれぞれの練習は、典型的には、練習が基づかれる練習ルーチンを定義するパラメータ又はそのサブセットにより識別される（そのようなパラメータは、図６を参照して上記で説明されている。）。
【０１１４】
この実施形態においては、ユーザ３０は、ＵＩ３２を用いて、１つの練習、即ち１つの音楽作品をライブラリから選択する。或る応用に対して、ＵＩ３２は、使用可能な練習の例示的メニューの一部分を示す表を参照して上記で説明したように構成される。代替として、ＵＩ３２は、適宜に、通常の音楽プレーヤ又は通常のオーディオ・ソフトウエアの通常のＵＩを備える。この構成においては、それぞれの音楽作品の名前は、典型的には、練習の１又はそれより多いキー・パラメータを含む。例えば、１：１の吸気対呼気（Ｉ：Ｅ）比を２０呼吸／分（ｂｒｅａｔｈｓ  ｐｅｒ  ｍｉｎｕｔｅ）（ｂｐｍ）で始め、そして１：３のＩ：Ｅ比を６ｂｐｍで終わる２フェーズ練習ルーチンに基づく１つの音楽作品は、「歌５／２０ｂｐｍ１：１比から６ｂｐｍ１：３比まで」のような名前を持ち得る。代替として、ユーザは、設定された期間、例えば１分間にわたって彼又は彼女の呼吸数をカウントし、そして呼吸数に対応する数を有する１つの音楽作品を選択するよう命令される。
【０１１５】
典型的には、ライブラリに含まれる練習は、ユーザ３０に十分広範囲の様々なオプションを提供しながら、一方同時に一般的に選択の合計数を制限するように選択される。そのような選択の制限は、ライブラリに必要とされる記憶容量を低減し、及び／又はユーザが所望の練習を選択する効率及び／又は容易さを増大し得る。
【０１１６】
本発明の一実施形態においては、ライブラリに含まれる練習は、終了フェーズの数、終了ｂｐｍ及び終了Ｉ：Ｅ比のような数個の重要な終了パラメータに対して幾つかのオプションを提供するように選択される。開始パラメータに対する一層少ないオプション、又は単一のオプションのみが、通常提供される。選定された開始パラメータが大部分のユーザに対する正常な呼吸パターン内である限り、そのようなオプションの欠如は、一般的には、ユーザに不便を感じさせない。或る応用に対して、開始ｂｐｍは、大部分のユーザの自然のｂｐｍ、例えば２０ｂｐｍより早く有り得て、そしてユーザは、ｂｐｍがユーザの現在のｂｐｍまで遅くなった点であって、選択された１つの音楽作品における当該点まで早送りするよう命令され得る。順列（ｐｅｒｍｕｔａｔｉｏｎｓ）の合計数は、例えば、唯１つ、２つ、又は３つの通常のＣＤ上に記憶することができる記憶される音楽の量を結果としてもたらす。
【０１１７】
例えば、ライブラリは、次のパラメータに基づく練習を含み得る。
・開始パラメータ：（ａ）２０ｂｐｍ、及び（ｂ）１：１のＩ：Ｅ比、及び
・終了パラメータ：（ａ）１０、６又は４ｂｐｍ、及び（ｂ）１：２、１：３又は１：４の２フェーズＩ：Ｅ比、又は１：１：１、１：１：３又は２：１：２の３フェーズＩ：Ｅ比。
【０１１８】
代替として又は追加として、幾らかの介入のため、ライブラリは、呼吸の速度を変えることなく、ユーザのＩ：Ｅ比を変更する練習を含む。例えば、当該練習は、１０の一定ｂｐｍを有し得て、及びＩ：Ｅ比が、１：１で開始し、そして１０分後に１：４で終わり得る。そのような練習は、一部の呼吸障害に苦しむユーザに有効であり得る。
【０１１９】
本発明の一実施形態においては、メトロノーム２０は、限定数の練習を、ある数の音楽としてか又はある数の練習パターン・ファイルとしてかのいずれかとして格納する。メトロノーム２０は、図６を参照して上記で説明したように、所望の練習ルーチンを定義するオプションをユーザ３０に提供する。しかしながら、音楽又は練習パターン・ファイルを生成するよりむしろ、事情によっては、実行中に、メトロノーム２０は、事情によっては、所望のルーチンに最も似た、事前に記憶された数の音楽作品又は練習パターン・ファイルを選択する。メトロノームが、ユーザの所望の練習ルーチンを一層良好に整合させるため、事前に記憶された数の音楽作品を再生し、又は事前に記憶された練習パターン・ファイルを解釈することを始め、又は事情によってはその再生の始まりより遅い時点に解釈することを始めるよう構成されるのは任意である。例えば、ユーザが１．０２秒間の吸気、及び２．１秒間の呼気を含む開始パラメータを有するルーチンを選択し、そしてメトロノームが上記で説明した例示的５５０秒２フェーズ練習パターン・ファイルを格納した場合、メトロノームは、記憶された時間シリーズの中の第３のパターンを用いて、練習を始め得る。記憶されているパターンのうちの１つと正確には整合しない選択されたパラメータに関して、メトロノームは、典型的には、当該選択されたパラメータに最も密接に整合する記憶されたパターンを選択する。
【０１２０】
メトロノーム２０は、次の表に記載されているアプリケーションを含む或る一定数のアプリケーションでの使用に適している。
【０１２１】
【表７】
2005535378.tif 000010
【０１２２】
【表８】
2005535378.tif 000011
【０１２３】
本発明の一実施形態においては、メトロノーム２０は、ユーザ３０が非自発的に反応するユーザ刺激を発生することにより介入を実行するよう適合されている。典型的には、そのような非自発的ユーザ刺激は、例えば、呼吸作用を変更することが希望されるバイオリズム活動と位相が僅かにずれて印加される。このアプローチは、ユーザが、例えば、意識不明の対象者のような、呼吸の自動制御が損なわれている対象者であるとき（例えば、対象者が昏睡状態に又は麻酔状態にあるとき）用いられ得る。追加として、このアプローチは、ユーザが呼吸に対するユーザの不適切な制御により起こされる睡眠無呼吸に苦しむときのような、ユーザが睡眠中であるとき、用いられ得る。例えば、聴力刺激又は他の刺激により、上記介入は、無意識に呼吸している意識不明のユーザの呼吸筋を刺激し得る。更に追加として、このアプローチは、ユーザが機械的に換気されているとき用いられ得る。
【０１２４】
たとえ介入が意識有るユーザに適用されたときでも、有る応用に対して、ユーザは、自発的活動の局面を半意識的に又は無意識的に変更する。例えば、多くの人々は、彼らの呼吸、歩行、又はランニングを、強力にリズミカルな音楽のような外部のリズミカルな刺激、又は点滅光にすら無意識に又は努力無しに同調させる。同様に、本発明のこれらの実施形態の幾らかは、適用された介入のリズム付きの自発的活動を意識的には調整しようとしない人々に適用され得る。こうして、或る応用に対して、これらの実施形態の幾つかのユーザは、本明細書に記載されるような介入がユーザに適用されるとはいえ、読み、話し、食べ、又は眠りすらし得る。例えば、ユーザのパーソナル・コンピュータ上の背景で実行しているアプリケーションは、ユーザが作業している間に音楽パターンを再生し得る。
【０１２５】
本発明の一実施形態においては、メトロノーム２０は、ユーザ３０の呼吸パターンを、典型的には組織酸素化を増大するやり方で変えるよう当該ユーザ３０を案内する。本発明のこの応用は、特に、鬱血心不全（ＣＨＦ）の治療に有効であり、その鬱血心不全（ＣＨＦ）は、多くの場合、悩んでいる患者にチェーン−ストークス呼吸（交代性無呼吸）を実証させる。この呼吸パターンは、過剰に遅い呼吸が十分なレベルの酸素を身体に供給しなので、平均組織酸素化の降下をもたらし、そして過換気（過呼吸）は、患者の既に弱い心臓に厳しい負荷を置き、そして身体を最適に酸素化しない。典型的には、音楽パターンは、組織酸素化を増大するように、徐々にユーザの呼吸を所望の健康なパターンに持っていくスケジュールに従って息を吸い込み及び吐き出すようユーザに対して音楽又は声の案内をすることを含む。本発明の一実施形態に従って、Ｍｏｒｔａｎａ及びＢｅｒｎａｒｄｉによる上記で引用した文献に記載されているプロトコルが、組織酸素化の所望の増大を得るように、本明細書に記載される技術を適用する際に利用される。息を吸い込み及び吐き出すようにする音楽又は声の案内は、例えば、フルートが、吐き出す方向がピッチ及び／又はボリュームが落ちるチェロ又はギターの音符を含み得ながら、ピッチ及び／又はボリュームが一般的に上昇する一連の音符を演奏することを含み得る。代替として、ユーザは、セッションの始めにおいて、ユーザが指定された高いピッチを有するフルート又はトーンをユーザが聞くときは常に吸い込み、そしてユーザが指定された低いピッチを有するチェロ、ギター又はトーンを聞くときは常に吐き出すよう命令される。音楽を発生するプロトコルは、上記で参照した米国特許出願０９／６１１，３０４及びＰＣＴ公開公報ＷＯ０１／０２０４９に、特にその図１６を参照して記載されている。
【０１２６】
代替として又は追加として、メトロノーム２０は、ユーザの血管の機械的コンプライアンスを増大するように動作される。このコンプライアンスは、心臓から排出された血液の血管を通ることに応答して血管が拡張する能力を反映する。十分なレベルの動脈コンプライアンスは、高い圧力で心臓から押し出される血液の拍動性のパターンをバッファリングして、それにより血液の微少血管への流れを滑らかにするのに重要であることが知られている。対照してみると、低減した動脈コンプライアンスは、血圧を制御するフィードバック・システムで身体が用いる圧受容器の不適切な機能と関連している。動脈のコンプライアンスは、加齢と共に、並びに高血圧、鬱血性心不全及びアテローム性硬化症のような多くの心臓血管疾患において低減することが知られている。更に、動脈のコンプライアンスは、例えば、人が精神的ストレスを経験しつつあるとき、血圧の急性増大に応答して、また交感神経活動の増大に応答して、低減する。代替として、又は追加として、メトロノーム２０は、ユーザの小さい血管の末梢インピーダンス（ｐｅｒｉｐｈｅｒａｌ  ｉｍｐｅｄａｎｃｅ）を低減するように、及び／又はユーザの心拍可変性を増大するように、及び／又はユーザの圧反射感度を増大するように、動作される。
【０１２７】
典型的には、メトロノーム２０は、血液酸素化を増大することに関して上記で説明した要領と一般的に類似の要領で動脈のコンプライアンスを増大する。本発明は、多くの心臓血管のインディケータがユーザの呼吸速度又は自発的又は非自発的の生理学的パラメータにほぼ６反復／分で循環させることにより最適化される。
【０１２８】
患者がＣＯＰＤを有するケースにおいては、当該技術分野では、各呼吸サイクル吸気の６０％を、そしてサイクル呼気の４０％を費やしながら、吸気性負荷を通して１５呼吸／分で呼吸することにより患者の呼吸持久性を増大するよう患者に命令することが知られている。そのような練習が要求する精神的集中及び物理的努力の高いレベル故に、また、タスクの比較的退屈な性質の故に、大部分の患者は、メトロノーム２０の使用無しで、そのようなレジームに従う困難性を有し、そして献身的な患者でさえ、健康管理作業員の直接の監視下を除いて練習を実行するのを停止する傾向がある。
【０１２９】
本発明の一実施形態においては、メトロノーム２０は、ユーザ３０の生理学的事象を検出するよう適合されたセンサを備える。当該事象が検出されるとき、メトロノーム２０は、典型的には、上記センサにより発生された信号に少なくとも部分的に応答して、開始バイオリズム・パターンを決定する。例えば、上記事象が、睡眠無呼吸のような異常な呼吸の発症であり得て、そのケースにおいては、センサは、呼吸の中断、心拍の突然の変化、又は無呼吸のいずれの他の兆候を検出し得る。異常な呼吸を検出すると、メトロノーム２０は、正常な呼吸を回復しようとして、本明細書で説明された多重フェーズのオーディオの、電気的な、又は他の刺激を開始する。或る応用に対して、刺激することを開始する前に、メトロノーム２０は、脈動又は呼吸のような１又はそれより多い生理的変数を実質、連続的にモニタリングし、そして当該変数を解析して、開始バイオリズム・パターンのフェーズの持続時間を決定し得る。典型的には、刺激することのライブラリが設けられ、それから、メトロノーム２０は、記憶されたパターン又はアルゴリズムを用いて、最も実効的対応の開始バイオリズム・パターン及び動向又は終了パラメータを選択する。代替として、メトロノームは、無呼吸中に検出された異常な呼吸パターンに応答して、開始バイオリズム・パターンを設定する。一般的に、開始バイオリズム・パターンに基づいて刺激の適用は、睡眠無呼吸の発症を経験している対象者に対して正常な呼吸を回復するのに時々必要な呼吸の自発的制御を模倣する。
【０１３０】
対照してみると、本発明の一部の実施形態においては、ユーザ３０が音楽を聴き、そしてそのリズム及びパターンに従って呼吸することのみが必要であるので、精神的努力が実質的に除去される。その上、この実施形態は、予想より、例えば、単純に６０％デューティ・サイクルを有し且つ１５回／分でターン・オンする「休息インジケータ・ライト（ｉｎｈａｌａｔｉｏｎ  ｉｎｄｉｃａｔｏｒ  ｌｉｇｈｔ）」より著しく大きい機能性を提供する。対照してみると、メトロノーム２０は、典型的には、ユーザの呼吸パターンを、その初期の測定された又は推定された状態（例えば、８呼吸／分、３０％吸入及び７０％呼気）から所望の最終状態へ徐々に変化させる。典型的には、この変化は、｛［呼吸率］，［吸気：呼気比］｝により定義される二次元パラメータ空間を通してユーザの呼吸を案内することにより引き起こされる。典型的には、メトロノーム２０は、ユーザの呼吸を、初期状態を表す空間の或る点から当該空間を通る経路（例えば、当該空間を通る最短経路）に沿い、それから、所望の最終状態を表す空間の別の或る点まで案内する。
【０１３１】
一部の患者の呼吸器系は、手術の後に回復するのにゆっくりであること、そして他の患者は、自身を機械的換気装置（ｖｅｎｔｉｌａｔｏｒ）から首尾良く引き離すために何日又は何週間を要することが知られている。従って、本発明の或る応用は、本明細書に記載される装置及び方法を必要に応じて変更を加えて用いて、換気装置依存又は術後患者を適切な呼吸技術の状態に徐々にとどめておくために向けられる。警戒が必要な患者に使用の多くの機械的換気装置は、各呼吸のタイミング及び深さを指令（ｄｉｃｔａｔｅ）するよりむしろ患者の呼吸努力を支援するよう作動（ｔｒｉｇｇｅｒ）させられる。ユーザが自分自身の呼吸に対して自発的制御を練習する、本発明の換気装置を装着した実施形態においては、患者により作動される換気装置は、典型的には、メトロノーム２０と組み合わさって利用される。
【０１３２】
本明細書に記載される技術は、上記で参照した米国特許出願０９／６１１，３０４及びＰＣＴ公開公報ＷＯ０１／０２０４９に記載された技術と関連して実施され得る。
本発明の実施形態が時に病理を有する患者に関して説明されたが、ユーザが、一般的に、健康であること、及び生理的にストレス解放及び／又は緩和を得るため、又は筋肉再教育、運動の訓練、又は娯楽の目的のため、本発明の態様を使用することを選定することは本発明の範囲内であることが理解されるであろう。
【０１３３】
本発明は、特に上記に示され且つ記載されたことに限定されるものではないことが当業者に認められるであろう。むしろ、本発明の範囲は、従来技術に無い上記に記載された様々な特徴の組み合わせ及びサブ組み合わせの両方、並びにそれらの変化及び変更を含み、それは、上記の記載を読めば当業者により行われるであろう。
【図面の簡単な説明】
【０１３４】
【図１】図１は、本発明の一実施形態に従った、ユーザのバイオリズム活動の有益な変更のための動的メトロノームの構成要素を示す概略的ブロック図である。
【図２】図２は、本発明の一実施形態に従った、図１のメトロノームを専用スタンドアローン装置として実現することを示す概略的な絵画的図である。
【図３】図３は、本発明の一実施形態に従った、図１のメトロノームを汎用コンピュータ上のソフトウエアとして実現することを示す概略的な絵画的図である。
【図４】図４Ａ、図４Ｂ及び図４Ｃは、本発明の一実施形態に従った幾つかのバイオリズム活動信号の概略的説明図である。
【図５】図５は、本発明の一実施形態に従った、呼吸練習中におけるバイオリズム・パターンの変換（トランスフォーメイション）を示す概略図である。
【図６】図６は、本発明の一実施形態に従った、新しい練習ルーチンを規定する方法を示すフロー・チャートである。
【図７】図７は、本発明の一実施形態に従った、バイオリズム・パターンのフェーズの持続時間の例示的動的変化を示すグラフである。
【図８】図８は、本発明の一実施形態に従った、図１のメトロノームの構成要素を示す概略的ブロック図である。
【図９】図９は、本発明の一実施形態に従った、電話回線を介した図１のメトロノームの実行の概略的説明図である。
【図１】
2005535378.tif 000012
【図２】
2005535378.tif 000013
【図３】
2005535378.tif 000014
【図４】
2005535378.tif 000015
【図５】
2005535378.tif 000016
【図６】
2005535378.tif 000017
【図７】
2005535378.tif 000018
【図８】
2005535378.tif 000019
【図９】
2005535378.tif 000020
【国際調査報告】
2005535378.tif 000021